(57)【要約】本開示のいくつかの態様は、複数のトーンと空間ストリームとを通して通信するシステム、デバイス、および方法に関する。待ち時間を実質的に増加させずに、周波数および/または空間ダイバシティを増加させるために、変調シンボルは、トーンと空間ストリームとにマッピングされてもよい。ある態様では、このインターリービングアプローチは、低密度パリティチェック（ＬＤＰＣ）コードワード上で実行してもよい。【選択図】図１４
2013543326.tif 000002
【特許請求の範囲】
【請求項１】
ワイヤレス通信のための装置において、
複数のビットを複数の変調シンボルにマッピングし、
前記複数の変調シンボルのそれぞれを、トーンと空間ストリームとにマッピングするように構成されている処理システムと、
前記マッピングされた変調シンボルを送信するように構成されている送信機とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされる装置。
【請求項２】
前記サブセットの前記変調シンボルは、前記複数のトーンに大体均一にマッピングされる請求項１記載の装置。
【請求項３】
前記処理システムは、
前記サブセット中の第１の変調シンボルを、第１のトーンと第１の空間ストリームとにマッピングすることと、
前記サブセットの第２の変調シンボルを、前記第１のトーンと第２の空間ストリームとにマッピングすることと、
前記サブセットの第３の変調シンボルを、第２のトーンと第３の空間ストリームとにマッピングすることとによって、前記複数の変調シンボルのそれぞれをマッピングするように構成されており、
前記第１のトーンと前記第２のトーンは隣り合っておらず、前記第２の変調シンボルに対応しているビットは、前記複数のコードワードのうちの１つ中の前記第１の変調シンボルに対応しているビットにすぐ後に続き、前記第３の変調シンボルに対応しているビットは、前記複数のコードワードのうちの１つ中の前記第２の変調シンボルに対応しているビットにすぐ後に続く請求項１記載の装置。
【請求項４】
前記第２の空間ストリームは、前記第１の空間ストリームに隣り合っている請求項３記載の装置。
【請求項５】
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｉ or ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔である請求項１記載の装置。
【請求項６】
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である請求項５記載の装置。
【請求項７】
前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる請求項５記載の装置。
【請求項８】
低密度パリティチェック（ＬＤＰＣ）コードを使用してビットをエンコードするように構成されているエンコーダをさらに具備し、前記エンコードされたビットは、前記複数のビットを含む請求項１記載の装置。
【請求項９】
前記処理システムは、前記複数の変調シンボルの論理トーンが、前記複数の変調シンボルを送信するために使用される物理トーンに関して順列されるように、前記複数の変調シンボルのそれぞれをマッピングするように構成されており、
前記処理システムは、前記マッピングを実行するための逆高速フーリエ変換（ＩＦＦＴ）モジュールを具備する請求項１記載の装置。
【請求項１０】
ワイヤレス通信のための方法において、
複数のビットを複数の変調シンボルにマッピングすることと、
前記複数の変調シンボルのそれぞれを、トーンと空間ストリームとにマッピングすることと、
前記マッピングされた変調シンボルを送信することとを含み、
前記複数のビットは、複数のコードワードに関係付けられており、
前記トーンは、前記送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている前記サブセットの前記変調シンボルは、前記複数のトーン中の隣り合っていないトーンにマッピングされる方法。
【請求項１１】
前記サブセットの前記変調シンボルは、前記複数のトーンに大体均一にマッピングされる請求項１０記載の方法。
【請求項１２】
前記複数の変調シンボルのそれぞれをマッピングすることは、
前記サブセット中の第１の変調シンボルを、第１のトーンと第１の空間ストリームとにマッピングすることと、
前記サブセットの第２の変調シンボルを、前記第１のトーンと第２の空間ストリームとにマッピングすることと、
前記サブセットの第３の変調シンボルを、第２のトーンと第３の空間ストリームとにマッピングすることとを含み、
前記第１のトーンと前記第２のトーンは隣り合っておらず、前記第２の変調シンボルに対応しているビットは、前記複数のコードワードのうちの１つ中の前記第１の変調シンボルに対応しているビットにすぐ後に続き、前記第３の変調シンボルに対応しているビットは、前記複数のコードワードのうちの１つ中の前記第２の変調シンボルに対応しているビットにすぐ後に続く請求項１０記載の方法。
【請求項１３】
前記第２の空間ストリームは、前記第１の空間ストリームに隣り合っている請求項１２記載の方法。
【請求項１４】
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｉ or ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔である請求項１０記載の方法。
【請求項１５】
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である請求項１４記載の方法。
【請求項１６】
前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる請求項１４記載の方法。
【請求項１７】
低密度パリティチェック（ＬＤＰＣ）コードを使用してビットをエンコードすることをさらに含み、前記エンコードされたビットは、前記複数のビットを含む請求項１０記載の方法。
【請求項１８】
前記複数の変調シンボルのそれぞれをマッピングすることは、前記複数の変調シンボルの論理トーンが、前記複数の変調シンボルを送信するために使用される物理トーンに関して順列されるように、前記複数の変調シンボルのそれぞれをマッピングすることを含み、
前記マッピングは、逆高速フーリエ変換（ＩＦＦＴ）モジュールによって実行される請求項１０記載の方法。
【請求項１９】
ワイヤレス通信のための装置において、
複数のビットを複数の変調シンボルにマッピングする手段と、
前記複数の変調シンボルのそれぞれを、トーンと空間ストリームとにマッピングする手段と、
前記マッピングされた変調シンボルを送信する手段とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされる装置。
【請求項２０】
前記サブセットの前記変調シンボルは、前記複数のトーンに大体均一にマッピングされる請求項１９記載の装置。
【請求項２１】
前記複数の変調シンボルのそれぞれをマッピングする手段は、
前記サブセット中の第１の変調シンボルを、第１のトーンと第１の空間ストリームとにマッピングし、
前記サブセットの第２の変調シンボルを、前記第１のトーンと第２の空間ストリームとにマッピングし、
前記サブセットの第３の変調シンボルを、第２のトーンと第３の空間ストリームとにマッピングするように構成されており、
前記第１のトーンと前記第２のトーンは隣り合っておらず、前記第２の変調シンボルに対応しているビットは、前記複数のコードワードのうちの１つ中の前記第１の変調シンボルに対応しているビットにすぐ後に続き、前記第３の変調シンボルに対応しているビットは、前記複数のコードワードのうちの１つ中の前記第２の変調シンボルに対応しているビットにすぐに続く請求項１９記載の装置。
【請求項２２】
前記第２の空間ストリームは、前記第１の空間ストリームに隣り合っている請求項２１記載の装置。
【請求項２３】
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｉ or ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔である請求項１９記載の装置。
【請求項２４】
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である請求項２３記載の装置。
【請求項２５】
前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる請求項２３記載の装置。
【請求項２６】
低密度パリティチェック（ＬＤＰＣ）コードを使用してビットをエンコードする手段をさらに具備し、前記エンコードされたビットは、前記複数のビットを含む請求項１９記載の装置。
【請求項２７】
前記複数の変調シンボルのそれぞれをマッピングする手段は、前記複数の変調シンボルの論理トーンが、前記複数の変調シンボルを送信するために使用される物理トーンに関して順列されるように、前記複数の変調シンボルのそれぞれをマッピングするように構成されており、
前記複数の変調シンボルのそれぞれをマッピングする手段は、マッピングを実行するための逆高速フーリエ変換（ＩＦＦＴ）モジュールを備える請求項１９記載の装置。
【請求項２８】
ワイヤレス通信のためのコンピュータプログラムプロダクトにおいて、
実行されるときに、装置に、
複数のビットを複数の変調シンボルにマッピングさせるための命令と、
前記複数の変調シンボルのそれぞれを、トーンと空間ストリームとにマッピングさせるための命令と、
前記マッピングされた変調シンボルを送信させるための命令とを含む、コンピュータ読み取り可能媒体を具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされる装置。
【請求項２９】
ワイヤレスノードにおいて、
少なくとも１つのアンテナと、
複数のビットを複数の変調シンボルにマッピングし、
前記複数の変調シンボルのそれぞれを、トーンと空間ストリームとにマッピングするように構成されている処理システムと、
前記マッピングされた変調シンボルを、前記少なくとも１つのアンテナを通して送信するように構成されている送信機とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされるワイヤレスノード。
【請求項３０】
ワイヤレス通信のための装置において、
複数のトーンと複数の空間ストリームとを通して、複数のコードワードに関係付けられているビットに対応している複数の変調シンボルを受信するように構成されている受信機と、
前記受信した変調シンボルのサブセットを、前記複数のコードワードのうちの１つのオリジナルの順序になるように配置するように構成されているデインターリーバとを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散される装置。
【請求項３１】
前記デインターリーバは、前記複数の変調シンボルが受け取られる物理トーンを順列して、前記複数の変調シンボルを複数の論理トーンになるように配置するように構成されている請求項３０記載の装置。
【請求項３２】
前記デインターリーバは、前記順列を実行するように構成されている高速フーリエ変換（ＦＦＴ）モジュールを備える請求項３１記載の装置。
【請求項３３】
ワイヤレス通信のための方法において、
複数のトーンと複数の空間ストリームとを通して、複数のコードワードに関係付けられているビットに対応している複数の変調シンボルを受信することと、
前記受信した変調シンボルのサブセットを、前記複数のコードワードのうちの１つに対応しているオリジナルの順序になるように配置することとを含み、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散される方法。
【請求項３４】
前記配置することは、前記複数の変調シンボルが受け取られる物理トーンを順列して、前記複数の変調シンボルを複数の論理トーンになるように配置することを含む請求項３３記載の方法。
【請求項３５】
前記順列は、高速フーリエ変換（ＦＦＴ）モジュールによって実行される請求項３４記載の方法。
【請求項３６】
ワイヤレス通信のための装置において、
複数のトーンと複数の空間ストリームとを通して、複数のコードワードに関係付けられているビットに対応している複数の変調シンボルを受信する手段と、
前記受信した変調シンボルのサブセットを、前記複数のコードワードのうちの１つに対応しているオリジナルの順序になるように配置する手段とを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散される装置。
【請求項３７】
前記配置する手段は、前記複数の変調シンボルが受け取られる物理トーンを順列して、前記複数の変調シンボルを複数の論理トーンになるように配置するように構成されている請求項３６記載の装置。
【請求項３８】
前記配置する手段は、前記順列を実行するように構成されている高速フーリエ変換（ＦＦＴ）モジュールを含む請求項３７記載の装置。
【請求項３９】
ワイヤレス通信のためのコンピュータプログラムプロダクトにおいて、
実行されるときに、装置に
複数のトーンと複数の空間ストリームとを通して、複数のコードワードに関係付けられているビットに対応している複数の変調シンボルを受信させる命令と、
前記受信した変調シンボルのサブセットを、前記複数のコードワードのうちの１つに対応しているオリジナルの順序になるように配置させる命令とを含む、コンピュータ読み取り可能な媒体を具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散されるコンピュータプログラムプロダクト。
【請求項４０】
ワイヤレスノードにおいて、
少なくとも１つのアンテナと、
複数のトーンと複数の空間ストリームとを通して、複数のコードワードに関係付けられているビットに対応している複数の変調シンボルを、前記少なくとも１つのアンテナを通して受信するように構成されている受信機と、
前記受信した変調シンボルのサブセットを、前記複数のコードワードのうちの１つに対応しているオリジナルの順序になるように配置するように構成されているデインターリーバとを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散されるワイヤレスノード。
【発明の詳細な説明】
【関連出願に対する相互参照】
【０００１】
本出願は、２０１０年１０月６日に出願された米国仮特許出願シリアル番号第６１／３９０，２８６号（代理人ドケット番号第１０３０２３Ｐ１）と、２０１０年１０月２０日に出願された米国仮特許出願シリアル番号第６１／４０５，１２６号（代理人ドケット番号第１０３０２３Ｐ２）との利益を主張し、これらの出願の両方とも、それらの全体の参照によりここに組み込まれている。
【背景】
【０００２】
分野
本開示のある態様は、一般的に、ワイヤレス通信に関し、さらに詳細に述べると、複数の周波数（すなわちトーン）と空間ストリームとを通してインターリーブすることに関する。
【０００３】
背景
ワイヤレス通信システムに対して要求されている増加する帯域幅要件の問題を取り扱うために、高データスループットを達成しつつ、チャネルリソースを共有することによって、複数のユーザ端末が、単一のアクセスポイントと通信することを可能にする異なるスキームが開発されている。複数入力複数出力（ＭＩＭＯ）技術は、次世代通信システムのための一般的な技術として最近出現した、１つのこのようなアプローチを表す。ＭＩＭＯ技術は、米国電気電子学会（ＩＥＥＥ）８０２．１１標準規格のような、いくつかの新興のワイヤレス通信標準規格において採用されている。ＩＥＥＥ８０２．１１は、短距離通信（例えば、数十メートルから数百メートル）向けにＩＥＥＥ８０２．１１委員会により開発されたワイヤレスローカルエリアネットワーク（ＷＬＡＮ）エアインターフェース標準規格のセットを示す。
【０００４】
ＭＩＭＯシステムは、データ送信のために、複数（ＮT本）の送信アンテナと複数（ＮR本）の受信アンテナとを用いる。ＮT本の送信アンテナとＮR本の受信アンテナとにより形成されるＭＩＭＯチャネルは、ＮS個の独立チャネルに分解でき、これは、空間チャネルとも呼ばれ、ここで、ＮS≦ｍｉｎ｛ＮT，ＮR｝である。ＮS個の独立チャネルのそれぞれは、次元に対応する。ＭＩＭＯシステムは、複数の送信アンテナおよび受信アンテナによって生成される追加の次元を利用する場合に、改善された性能（例えば、より高いスループットおよび／またはより大きな信頼性）を提供できる。
【０００５】
単一のアクセスポイント（ＡＰ）と複数のユーザ局（ＳＴＡ）とを持つワイヤレスネットワークでは、アップリンクおよびダウンリンク方向の双方において、異なる局に向けて、複数のチャネル上で、並行した送信が起こることがある。このようなシステムには、多くの課題が存在する。
【概要】
【０００６】
本開示のある態様は、ワイヤレス通信のための装置を提供する。装置は、一般的に、処理システムと送信機とを備える。処理システムは、典型的に、複数のビットを複数の変調シンボルにマッピングするように構成されている。いくつかの態様では、複数のビットは、複数のコードワードに関係付けられている。処理システムは、複数の変調シンボルのそれぞれを、トーンと空間ストリームとにマッピングするようにさらに構成されている。トーンは、送信に対して利用可能な複数のトーンのうちの１つであり、空間ストリームは、送信に対して利用可能な複数の空間ストリームのうちの１つである。送信機は、一般的には、マッピングされた変調シンボルを送信するように構成されている。いくつかの態様では、複数のコードワードのうちの１つに関係付けられている連続ビットに対応している複数の変調シンボルのサブセットは、複数の空間ストリームの間で大体均一にマッピングされる。いくつかの態様では、同じ空間ストリームにマッピングされている、サブセットの変調シンボルは、複数のトーン中の隣り合っていないトーンにマッピングされる。
【０００７】
本開示のある態様は、ワイヤレス通信のための方法を提供する。方法は、一般的には、複数のビットを複数の変調シンボルにマッピングすることを含む。いくつかの態様では、複数のビットは、複数のコードワードに関係付けられている。方法は、複数の変調シンボルのそれぞれを、トーンと空間ストリームとにマッピングすることと、マッピングされた変調シンボルを送信することとをさらに含む。トーンは、送信に対して利用可能な複数のトーンのうちの１つであり、空間ストリームは、送信に対して利用可能な複数の空間ストリームのうちの１つである。いくつかの態様では、複数のコードワードのうちの１つに関係付けられている連続ビットに対応している複数の変調シンボルのサブセットは、複数の空間ストリームの間で大体均一にマッピングされる。いくつかの態様では、同じ空間ストリームにマッピングされている、サブセットの変調シンボルは、複数のトーン中の隣り合っていないトーンにマッピングされる。
【０００８】
本開示のある態様は、ワイヤレス通信のための装置を提供する。装置は、一般的には、複数のビットを複数の変調シンボルにマッピングする手段を備える。いくつかの態様では、複数のビットは、複数のコードワードに関係付けられている。装置は、複数の変調シンボルのそれぞれを、トーンと空間ストリームとにマッピングする手段と、マッピングされた変調シンボルを送信する手段とをさらに備える。トーンは、送信に対して利用可能な複数のトーンのうちの１つであり、空間ストリームは、送信に対して利用可能な複数の空間ストリームのうちの１つである。いくつかの態様では、複数のコードワードのうちの１つに関係付けられている連続ビットに対応している複数の変調シンボルのサブセットは、複数の空間ストリームの間で大体均一にマッピングされる。いくつかの態様では、同じ空間ストリームにマッピングされている、サブセットの変調シンボルは、複数のトーン中の隣り合っていないトーンにマッピングされる。
【０００９】
本開示のある態様は、ワイヤレス通信のためのコンピュータプログラムプロダクトを提供する。コンピュータプログラムプロダクトは、命令を含むコンピュータ読み取り可能媒体を含んでいてもよい。実行されるときに、命令は、装置に、複数のビットを複数の変調シンボルにマッピングさせてもよい。いくつかの態様では、複数のビットは、複数のコードワードに関係付けられている。実行されるときに、命令は、さらに、装置に、複数の変調シンボルのそれぞれを、トーンと空間ストリームとにマッピングさせてもよく、マッピングされた変調シンボルを送信させてもよい。トーンは、送信に対して利用可能な複数のトーンのうちの１つであり、空間ストリームは、送信に対して利用可能な複数の空間ストリームのうちの１つである。いくつかの態様では、複数のコードワードのうちの１つに関係付けられている連続ビットに対応している複数の変調シンボルのサブセットは、複数の空間ストリームの間で大体均一にマッピングされる。いくつかの態様では、同じ空間ストリームにマッピングされている、サブセットの変調シンボルは、複数のトーン中の隣り合っていないトーンにマッピングされる。
【００１０】
本開示のある態様は、ワイヤレスノードを提供する。ノードは、一般的には、少なくとも１つのアンテナと、処理システムと、送信機とを備える。処理システムは、典型的に、複数のビットを複数の変調シンボルにマッピングするように構成されている。いくつかの態様では、複数のビットは、複数のコードワードに関係付けられている。処理システムは、複数の変調シンボルのそれぞれを、トーンと空間ストリームとにマッピングするようにさらに構成されている。トーンは、送信に対して利用可能な複数のトーンのうちの１つであり、空間ストリームは、送信に対して利用可能な複数の空間ストリームのうちの１つである。送信機は、少なくとも１つのアンテナを通して、マッピングされた変調シンボルを送信するように構成されている。いくつかの態様では、複数のコードワードのうちの１つに関係付けられている連続ビットに対応している複数の変調シンボルのサブセットは、複数の空間ストリームの間で大体均一にマッピングされる。いくつかの態様では、同じ空間ストリームにマッピングされている、サブセットの変調シンボルは、複数のトーン中の隣り合っていないトーンにマッピングされる。
【００１１】
本開示のある態様は、ワイヤレス通信のための装置を提供する。装置は、一般的に、複数のトーンと複数の空間ストリームとを通して、複数のコードワードに関係付けられているビットに対応している複数の変調シンボルを受信するように構成されている受信機を備える。いくつかの態様では、複数のコードワードのうちの１つに関係付けられている連続ビットに対応している複数の変調シンボルのサブセットは、複数の空間ストリームを通して大体均一に分散される。いくつかの態様では、同じ空間ストリーム中で受信される、サブセットの変調シンボルは、複数のトーン中の隣り合っていないトーンを通して分散される。装置は、受信した変調シンボルのサブセットを、複数のコードワードのうちの１つに対応しているオリジナルの順序になるように配置するように構成されているデインターリーバをさらに備えていてもよい。
【００１２】
本開示のある態様は、ワイヤレス通信のための方法を提供する。方法は、一般的に、複数のトーンと複数の空間ストリームとを通して、複数のコードワードに関係付けられているビットに対応している複数の変調シンボルを受信することを含む。いくつかの態様では、複数のコードワードのうちの１つに関係付けられている連続ビットに対応している複数の変調シンボルのサブセットは、複数の空間ストリームを通して大体均一に分散される。いくつかの態様では、同じ空間ストリーム中で受信される、サブセットの変調シンボルは、複数のトーン中の隣り合っていないトーンを通して分散される。方法は、受信した変調シンボルのサブセットを、複数のコードワードのうちの１つに対応しているオリジナルの順序になるように配置することをさらに含んでいてもよい。
【００１３】
本開示のある態様は、ワイヤレス通信のための装置を提供する。装置は、一般的に、複数のトーンと複数の空間ストリームとを通して、複数のコードワードに関係付けられているビットに対応している複数の変調シンボルを受信する手段を備える。いくつかの態様では、複数のコードワードのうちの１つに関係付けられている連続ビットに対応している複数の変調シンボルのサブセットは、複数の空間ストリームを通して大体均一に分散される。いくつかの態様では、同じ空間ストリーム中で受信される、サブセットの変調シンボルは、複数のトーン中の隣り合っていないトーンを通して分散される。装置は、受信した変調シンボルのサブセットを、複数のコードワードのうちの１つに対応しているオリジナルの順序になるように配置する手段をさらに備えていてもよい。
【００１４】
本開示のある態様は、ワイヤレス通信のためのコンピュータプログラムプロダクトを提供する。コンピュータプログラムプロダクトは、命令を含むコンピュータ読み取り可能媒体を具備していてもよい。実行されるときに、命令は、装置に、複数のトーンと複数の空間ストリームとを通して、複数のコードワードに関係付けられているビットに対応している複数の変調シンボルを受信させてもよい。いくつかの態様では、複数のコードワードのうちの１つに関係付けられている連続ビットに対応している複数の変調シンボルのサブセットは、空間ストリームの範囲を通して大体均一に分散される。いくつかの態様では、同じ空間ストリーム中で受信される、サブセットの変調シンボルは、複数のトーン中の隣り合っていないトーンを通して分散される。実行されるときに、命令は、さらに、装置に、受信した変調シンボルのサブセットを、複数のコードワードのうちの１つに対応しているオリジナルの順序になるように配置させてもよい。
【００１５】
本開示のある態様は、ワイヤレスノードを提供する。ノードは、一般的に、少なくとも１つのアンテナと、複数のトーンと複数の空間ストリームとを通して、複数のコードワードに関係付けられているビットに対応している複数の変調シンボルを、少なくとも１つのアンテナを通して受信するように構成されている受信機とを備える。いくつかの態様では、複数のコードワードのうちの１つに関係付けられている連続ビットに対応している複数の変調シンボルのサブセットは、空間ストリームの範囲を通して大体均一に分散される。いくつかの態様では、同じ空間ストリーム中で受信される、サブセットの変調シンボルは、複数のトーン中の隣り合っていないトーンを通して分散される。ノードは、受信した変調シンボルのサブセットを、複数のコードワードのうちの１つに対応しているオリジナルの順序になるように配置するように構成されているデインターリーバをさらに備えていてもよい。
【図面の簡単な説明】
【００１６】
本開示の先に記載した特徴を詳細に理解できるように、先では簡単にまとめられているさらに特定の記述を、態様に対する参照によって得てもよく、態様のうちのいくつかは、添付した図面中で示されている。しかしながら、添付した図面は、本開示のいくつかの典型的な態様のみを示しており、それゆえ、その範囲を限定するものとして考えられるものではなく、記述のために、他の同等に効果的な態様を認めてもよいことに留意すべきである。  
【図１】図１は、本開示のある態様にしたがった、ワイヤレス通信ネットワークのダイヤグラムを図示している。
【図２】図２は、本開示のある態様にしたがった、アクセスポイントとユーザ端末の例のブロックダイヤグラムを図示している。
【図３】図３は、本開示のある態様にしたがった、ワイヤレスデバイスの例のブロックダイヤグラムを図示している。
【図４】図４は、本開示のある態様にしたがった、送信エンティティの例のブロックダイヤグラムを図示している。
【図５】図５は、本開示のある態様にしたがった、トーン対空間ストリームの概念的な行列の例を図示している。
【図６Ａ】図６Ａは、本開示のある態様にしたがった、図５の行列へのシンボルマッピングの様々な態様を図示している。
【図６Ｂ】図６Ｂは、本開示のある態様にしたがった、図５の行列へのシンボルマッピングの様々な態様を図示している。
【図７Ａ】図７Ａは、本開示のある態様にしたがった、図５の行列へのシンボルマッピングの様々な態様を図示している。
【図７Ｂ】図７Ｂは、本開示のある態様にしたがった、図５の行列へのシンボルマッピングの様々な態様を図示している。
【図８Ａ】図８Ａは、本開示のある態様にしたがった、図５の行列へのシンボルマッピングの様々な態様を図示している。
【図８Ｂ】図８Ｂは、本開示のある態様にしたがった、図５の行列へのシンボルマッピングの様々な態様を図示している。
【図９Ａ】図９Ａは、本開示のある態様にしたがった、図５の行列へのシンボルマッピングの様々な態様を図示している。
【図９Ｂ】図９Ｂは、本開示のある態様にしたがった、図５の行列へのシンボルマッピングの様々な態様を図示している。
【図１０Ａ】図１０Ａは、本開示のある態様にしたがった、図５の行列へのシンボルマッピングの様々な態様を図示している。
【図１０Ｂ】図１０Ｂは、本開示のある態様にしたがった、図５の行列へのシンボルマッピングの様々な態様を図示している。
【図１１】図１１は、本開示のある態様にしたがった、複数の変調シンボルのそれぞれをトーンと空間ストリームとにマッピングする動作の例を図示している。
【図１１Ａ】図１１Ａは、図１１中で示されている動作を実行する手段の例を図示している。
【図１２】図１２は、本開示のある態様にしたがった、受信エンティティの例のブロックダイヤグラムを図示している。
【図１３】図１３は、本開示のある態様にしたがった、複数のトーンと空間ストリームとを通して複数の変調シンボルを受信し、オリジナルのメッセージのビットを決定するために、受信したシンボルを解釈する動作の例を図示している。
【図１３Ａ】図１３Ａは、図１３中で示されている動作を実行する手段の例を説明している。
【図１４】図１４は、本開示のある態様にしたがった、送信エンティティの例のブロックダイヤグラムを図示している。
【図１５】図１５は、本開示のある態様にしたがった、受信エンティティのブロックダイヤグラムの例を図示している。
【図１６】図１６は、本開示のある態様にしたがった、受信エンティティのブロックダイヤグラムの例を図示している。
【詳細な説明】
【００１７】
添付図面を参照して、本開示の様々な態様をここより後でさらに十分に記述する。しかしながら、本開示は、多くの異なる形態で具現化されてもよく、本開示全体を通して提示される任意の特定の構造または機能に限定されるものとして解釈すべきではない。むしろ、これらの態様は、本開示が詳細かつ完成するように提供され、本開示の範囲を当業者に十分に伝えるだろう。ここでの教示に基づいて、本開示の他の何らかの態様から独立して、または、本開示の他の何らかの態様と組み合わせて、実現されるか否かにかかわらず、本開示の範囲が、ここで開示した本開示の、あらゆる態様をカバーするように意図されていることを、当業者は正しく認識すべきである。例えば、ここで述べる任意の数の態様を使用して、装置が実現されてもよく、または、方法が実施されてもよい。加えて、本開示の範囲は、ここで述べる開示の様々な態様に加えて、または、ここで述べる開示の様々な態様以外に、他の構造、機能性、あるいは、構造および機能性を使用して実施される、このような装置または方法をカバーすることを意図している。ここに開示された開示の任意の態様は、請求項の１つ以上のエレメントによって具現化されてもよいことを理解すべきである。
【００１８】
“例として、事例として、あるいは実例として機能すること”を意味するために、“例示的な”という用語をここで使用する。“例示的な”ものとして、ここで記述するいずれの態様も、他の態様と比較して、必ずしも好ましいものとして、または、効果的なものとして解釈すべきではない。
【００１９】
特定の態様をここで記述するが、これらの態様の多くのバリエーションおよび順列は、本開示の範囲内にある。記述する態様のいくつかの利益および利点を述べるが、本開示の範囲は、特定の利益、使用、または目的に限定されることを意図しない。むしろ、本開示の態様は、異なるワイヤレス技術、システムコンフィギュレーション、ネットワーク、および送信プロトコルに広く適用可能であるように意図されており、そのうちのいくつかは、一例として、図面中および好ましい態様の以下の記述中で示されている。詳細な説明および図面は、限定ではなく、本開示の単なる例示であり、本開示の範囲は、添付した特許請求の範囲およびそれらの均等物により規定されている。
【００２０】
ワイヤレス通信システムの例
ここで記述する技術は、直交多重化スキームに基づいている通信システムを含む、様々なブロードバンドワイヤレス通信システムに対して使用されてもよい。このような通信システムの例は、空間分割多元接続（ＳＤＭＡ）、時分割多元接続（ＴＤＭＡ）、直交周波数分割多元接続（ＯＦＤＭＡ）システム、単一搬送波周波数分割多元接続（ＳＣ−ＦＤＭＡ）システム等を含む。ＳＤＭＡシステムは、十分に異なる方向を利用して、複数のユーザ端末に属するデータを同時に送信してもよい。ＴＤＭＡシステムは、送信信号を、各タイムスロットが異なるユーザ端末に割り当てられている異なるタイムスロットに分割することにより、複数のユーザ端末が、同じ周波数チャネルを共有することを可能にしてもよい。ＴＤＭＡシステムは、ＧＳＭ（登録商標）、または、技術的に知られている他の何らかの標準規格を実現してもよい。ＯＦＤＭＡシステムは、システム全体の帯域幅を複数の直交副搬送波に区分する変調技術である直交周波数分割多重化（ＯＦＤＭ）を利用する。これらの副搬送波は、トーン、ビン等とも呼ぶことがある。ＯＦＤＭでは、各副搬送波は、データにより個別に変調されてもよい。ＯＦＤＭシステムは、ＩＥＥＥ８０２．１１、または、技術的に知られている他の何らかの標準規格を実現してもよい。ＳＣ−ＦＤＭＡシステムは、インターリーブされたＦＤＭＡ（ＩＦＤＭＡ）を利用して、システム帯域幅にわたって分散されている副搬送波上で送信してもよく、局所化されたＦＤＭＡ（ＬＦＤＭＡ）を利用して、隣り合った副搬送波のブロック上で送信してもよく、または、拡張されたＦＤＭＡ（ＥＦＤＭＡ）を利用して、隣り合った副搬送波の複数のブロック上で送信してもよい。一般的に、変調シンボルは、ＯＦＤＭでは周波数領域中で、および、ＳＣ−ＦＤＭＡでは時間領域中で送られる。ＳＣ−ＦＤＭＡシステムは、３ＧＰＰ−ＬＴＥ（第３世代パートナーシッププロジェクトロングタームエボリューション）または他の標準規格を実現してもよい。
【００２１】
ここでの教示は、様々なワイヤードまたはワイヤレスの装置（例えば、ノード）中に組み込まれてもよい（例えば、これらの装置内で実現されてもよく、または、これらの装置により実行されてもよい）。いくつかの態様では、ここでの教示にしたがって実現されるワイヤレスノードは、アクセスポイントまたはアクセス端末を含んでいてもよい。
【００２２】
アクセスポイント（“ＡＰ”）は、ノードＢ、無線ネットワーク制御装置（“ＲＮＣ”）、進化したｅノードＢ（“ｅＮＢ”）、基地局制御装置（“ＢＳＣ”）、基地トランシーバ局（“ＢＴＳ”）、基地局（“ＢＳ”）、トランシーバ機能（“ＴＦ”）、無線ルータ、無線トランシーバ、基本サービスセット（“ＢＳＳ”）、拡張サービスセット（“ＥＳＳ”）、無線基地局（“ＲＢＳ”）、または、他の何らかの専門用語を含んでいてもよく、これらのものとして実現されてもよく、あるいは、これらのものとして知られているかもしれない。
【００２３】
アクセス端末（“ＡＴ”）は、局（ＳＴＡ）、加入者局、加入者ユニット、移動局（ＭＳ）、遠隔局、遠隔端末、ユーザ端末（ＵＴ）、ユーザエージェント、ユーザデバイス、ユーザ機器（ＵＥ）、ユーザ局、または、他の何らかの専門用語を含んでいてもよく、これらのものとして実現されてもよく、あるいは、これらのものとして知られているかもしれない。いくつかのインプリメンテーションでは、アクセス端末は、セルラ電話機、コードレス電話機、セッション開始プロトコル（“ＳＩＰ”）電話機、ワイヤレスローカルループ（“ＷＬＬ”）局、パーソナルデジタルアシスタント（“ＰＤＡ”）、ワイヤレス接続能力を有するハンドヘルドデバイス、タブレット、または、ワイヤレスモデムに接続されている他の何らかの適した処理デバイスを含んでいてもよい。したがって、ここで教示する１つ以上の態様は、電話機（例えば、セルラ電話機またはスマートフォン）中に、コンピュータ（例えば、ラップトップ）中に、ポータブル通信デバイス中に、ポータブルコンピューティングデバイス（例えば、パーソナルデータアシスタント）中に、エンターテインメントデバイス（例えば、音楽またはビデオのデバイス、あるいは、衛星ラジオ）中に、グローバルポジショニングシステム（ＧＰＳ）デバイス中に、あるいは、ワイヤレスまたはワイヤードの媒体を介して通信するように構成されている他の何らかの適したデバイス中に、組み込まれていてもよい。いくつかの態様では、ノードは、ワイヤレスノードである。このようなワイヤレスノードは、例えば、ワイヤードまたはワイヤレスの通信リンクを介しての、ネットワーク（例えば、インターネットのようなワイドエリアネットワークまたはセルラネットワーク）のための接続性あるいはネットワーク（例えば、インターネットのようなワイドエリアネットワークまたはセルラネットワーク）への接続性を提供してもよい。
【００２４】
図１は、アクセスポイントとユーザ端末とを備えるワイヤレス通信システム１００の態様を図示している。システム１００は、例えば、多元接続複数入力複数出力（ＭＩＭＯ）システムを含んでいてもよい。簡潔さのために、図１では、１つのアクセスポイント１１０のみが示されている。アクセスポイントは、一般的に、ユーザ端末と通信する固定局であり、基地局として、または、他の何らかの専門用語を使用して呼ぶこともある。ユーザ端末は、固定型または移動体であってもよく、移動局、ワイヤレスデバイス、または他の何らかの専門用語で呼ばれることもある。アクセスポイント１１０は、所定の任意の時に、ダウンリンク上およびアップリンク上で、１つ以上のユーザ端末１２０と通信してもよい。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピア・ツー・ピアで通信してもよい。システム制御装置１３０は、アクセスポイントに結合され、アクセスポイントに対する調整と制御とを提供する。
【００２５】
以下の開示の一部は、空間分割多元接続（ＳＤＭＡ）を通して通信することが可能なユーザ端末１２０を記述するが、ある実施形態では、ユーザ端末１２０は、ＳＤＭＡをサポートしていない何らかのユーザ端末も含んでいてもよい。したがって、このような実施形態では、ＡＰ１１０は、ＳＤＭＡユーザ端末および非ＳＤＭＡユーザ端末の双方と通信するように構成されていてもよい。都合のよいことに、このアプローチにより、ＳＤＭＡをサポートしない古いバージョンのユーザ端末（“レガシー”局）を企業で配備し続けることが可能になり、それらの有効寿命が伸びる一方で、適切であると思われるときには、より新しいＳＤＭＡユーザ端末を取り入れることが可能になる。
【００２６】
システム１００は、ダウンリンク上およびアップリンク上でのデータ送信のために、複数の送信アンテナと複数の受信アンテナとを用いる。アクセスポイント１１０には、Ｎap本のアンテナが装備され、アクセスポイント１１０は、ダウンリンク送信に対する複数入力（ＭＩ）と、アップリンク送信に対する複数出力（ＭＯ）とを表す。Ｋ個の選択されたユーザ端末１２０のセットは、集合的に、ダウンリンク送信に対する複数出力と、アップリンク送信に対する複数入力とを表す。純粋なＳＤＭＡでは、何らかの手段によって、Ｋ個のユーザ端末に対するデータシンボルストリームが、コードで、周波数で、または、時間で多重化されていない場合に、Ｎap≧Ｋ≧１を有することが望ましい。ＴＤＭＡ技術を使用して、ＣＤＭＡでは異なるコードチャネルを使用して、ＯＦＤＭではサブバンドの互いに素なセットを使用する等して、データシンボルストリームを多重化できる場合に、Ｋは、Ｎapよりも大きいことがある。各選択されたユーザ端末は、ユーザ特有のデータをアクセスポイントに送信してもよく、および／または、ユーザ特有のデータをアクセスポイントから受信してもよい。一般的に、各選択されたユーザ端末には、１つまたは複数のアンテナ（すなわち、Ｎut≧１）が装備されていてもよい。Ｋ個の選択されたユーザ端末は、同じ数のアンテナを有することができ、または、１つ以上のユーザ端末は、異なる数のアンテナを有していてもよい。
【００２７】
システム１００は、時分割複信（ＴＤＤ）システムまたは周波数分割複信（ＦＤＤ）システムであってもよい。ＴＤＤシステムでは、ダウンリンクとアップリンクは、同じ周波数バンドを共有する。ＦＤＤシステムでは、ダウンリンクとアップリンクは、異なる周波数バンドを使用する。システム１００はまた、送信のために、単一の搬送波または複数の搬送波を利用してもよい。各ユーザ端末には、（例えば、コストを低く抑えるために）単一のアンテナが装備されていてもよく、または、（例えば、付加的なコストをサポートできる場合には）複数のアンテナが装備されていてもよい。送信／受信を、各タイムスロットが異なるユーザ端末１２０に割り当てられていてもよい異なるタイムスロットに分割することによって、ユーザ端末１２０が同じ周波数チャネルを共有する場合に、システム１００は、ＴＤＭＡシステムでもあってもよい。
【００２８】
図２は、システム１００中の、アクセスポイント１１０と２つのユーザ端末１２０ｍおよび１２０ｘとのブロックダイヤグラムを図示している。アクセスポイント１１０には、Ｎt本のアンテナ２２４ａないし２２４ａｐが装備されている。ユーザ端末１２０ｍには、Ｎut,m本のアンテナ２５２ｍａないし２５２ｍｕが装備されており、ユーザ端末１２０ｘには、Ｎut,x本のアンテナ２５２ｘａないし２５２ｘｕが装備されている。アクセスポイント１１０は、ダウンリンクリンクに対しては送信エンティティであり、アップリンクに対しては受信エンティティである。ユーザ端末１２０は、アップリンクに対しては送信エンティティであり、ダウンリンクに対しては受信エンティティである。ここで使用するような“送信エンティティ”は、ワイヤレスチャネルを介してデータを送信することが可能な、独立して動作する装置またはデバイスであり、“受信エンティティ”は、ワイヤレスチャネルを介してデータを受信することが可能な、独立して動作する装置またはデバイスである。以下の記述では、下付き文字“ｄｎ”は、ダウンリンクを示し、下付き文字“ｕｐ”はアップリンクを示し、アップリンク上での同時送信のためにＮup台のユーザ端末が選択され、ダウンリンク上での同時送信のためにＮdn台のユーザ端末が選択される。Ｎupは、Ｎdnに等しくてもよく、または、等しくなくてもよく、ＮupおよびＮdnは、静的な値であってもよく、または、各スケジューリング間隔で変化してもよい。アクセスポイント１１０および/またはユーザ端末１２０において、ビームステアリングまたは他の何らかの空間処理技術を使用してもよい。
【００２９】
アップリンク上では、アップリンク送信に対して選択された各ユーザ端末１２０において、ＴＸデータプロセッサ２８８が、データソース２８６からトラフィックデータを受け取り、制御装置２８０から制御データを受け取る。ＴＸデータプロセッサ２８８は、ユーザ端末に対して選択されているレートに関係付けられているコーディングおよび変調スキームに基づいて、ユーザ端末に対するトラフィックデータを処理し（例えば、エンコードし、インターリーブし、および変調し）、データシンボルストリームを提供する。ＴＸ空間プロセッサ２９０は、データシンボルストリーム上で空間処理を実行し、Ｎut,m本のアンテナに対してＮut,m個の送信シンボルストリームを提供する。各送信機ユニット（ＴＭＴＲ）２５４が、それぞれの送信シンボルストリームを受け取って処理（例えば、アナログ変換、増幅、フィルタリング、周波数アップコンバート）し、アップリンク信号を発生させる。Ｎut,m台の送信機ユニット２５４は、例えばアクセスポイント１１０に送信するために、Ｎut,m本のアンテナ２５２からの送信に対してＮut,m個のアップリンク信号を提供する。  いくつかの態様では、アップリンク上での同時送信に対して、Ｎup個のユーザ端末をスケジュールしてもよい。これらのユーザ端末のそれぞれは、そのそれぞれのデータシンボルストリームに関して空間処理を実行し、送信シンボルストリームのそのそれぞれのセットをアップリンク上でアクセスポイント１１０に送信してもよい。
【００３０】
アクセスポイント１１０において、Ｎap本のアンテナ２２４ａないし２２４ａｐは、アップリンク上で送信するすべてのＮup個のユーザ端末からのアップリンク信号を受信する。各アンテナ２２４は、それぞれの受信機ユニット（ＲＣＶＲ）２２２に対して、受信した信号を提供する。各受信機ユニット２２２は、送信機ユニット２５４により実行される処理と相補的な処理を実行し、受信したシンボルストリームを提供する。ＲＸ空間プロセッサ２４０は、Ｎap台の受信機ユニット２２２からのＮap個の受信したシンボルストリーム上で、受信機空間処理を実行し、Ｎup個の復元したアップリンクデータシンボルストリームを提供する。受信機の空間処理は、チャネル相関行列反転（ＣＣＭＩ）、最小平均二乗誤差（ＭＭＳＥ）、ソフト干渉消去（ＳＩＣ）、または他の何らかの技術にしたがって実行されてもよい。各復元したアップリンクデータシンボルストリームは、それぞれのユーザ端末によって送信されたデータシンボルストリームの推定値である。ＲＸデータプロセッサ２４２は、そのストリームに対して使用されたレートにしたがって、各復元したアップリンクデータシンボルストリームを処理して（例えば、復調して、デインターリーブして、および、デコードして）、デコードしたデータを取得する。各ユーザ端末に対するデコードしたデータを、記憶のためにデータシンク２４４に提供してもよく、および／または、さらなる処理のために制御装置２３０に提供してもよい。
【００３１】
ダウンリンク上では、アクセスポイント１１０において、ＴＸデータプロセッサ２１０が、ダウンリンク送信に対してスケジュールされたＮdn個のユーザ端末に対するトラフィックデータをデータソース２０８から受け取り、制御装置２３０から制御データを受け取り、場合によっては、スケジューラ２３４から他のデータを受け取る。様々なタイプのデータが、異なるトランスポートチャネル上で送られてもよい。ＴＸデータプロセッサ２１０は、そのユーザ端末に対して選択されたレートに基づいて、各ユーザ端末に対するトラフィックデータを処理する（例えば、エンコードする、インターリーブする、および、変調する）。ＴＸデータプロセッサ２１０は、Ｎdn個のユーザ端末に対するＮdn個のダウンリンクデータシンボルストリームを提供する。ＴＸ空間プロセッサ２２０は、Ｎdn個のダウンリンクデータシンボルストリーム上で（プリコーディングまたはビームフォーミングのような）空間処理を実行し、Ｎap本のアンテナに対してＮap個の送信シンボルストリームを提供する。各送信機ユニット２２２は、それぞれの送信シンボルストリームを受け取って処理し、ダウンリンク信号を発生させる。Ｎap台の送信機ユニット２２２は、Ｎap本のアンテナ２２４からユーザ端末１２０への送信に対して、Ｎap個のダウンリンク信号を提供してもよい。
【００３２】
各ユーザ端末１２０において、Ｎut,m本のアンテナ２５２は、アクセスポイント１１０からＮap個のダウンリンク信号を受信する。各受信機ユニット２５４は、関係付けられているアンテナ２５２からの受信信号を処理し、受信したシンボルストリームを提供する。ＲＸ空間プロセッサ２６０は、Ｎut,m台の受信機ユニット２５４からのＮut,m個の受信したシンボルストリーム上で受信機空間処理を実行し、ユーザ端末１２０に対する復元したダウンリンクデータシンボルストリームを提供する。ＣＣＭＩ、ＭＭＳＥ、または何らかの他の技術にしたがって、受信機空間処理が実行されてもよい。ＲＸデータプロセッサ２７０は、復元したダウンリンクデータシンボルストリームを処理して（例えば、復調して、デインターリーブして、および、デコードして）、ユーザ端末に対するデコードしたデータを取得する。
【００３３】
各ユーザ端末１２０において、チャネル推定器２７８は、ダウンリンクチャネル応答を推定して、ダウンリンクチャネル推定を提供する。ダウンリンクチャネル推定は、チャネル利得推定、ＳＮＲ推定、ノイズ分散等を含んでいてもよい。同様に、チャネル推定器２２８は、アップリンクチャネル応答を推定して、アップリンクチャネル推定を提供する。各ユーザ端末に対する制御装置２８０は、典型的に、そのユーザ端末に対するダウンリンクチャネル応答行列Ｈdn,mに基づいて、ユーザ端末に対する空間フィルタ行列を導出する。制御装置２３０は、有効なアップリンクチャネル応答行列Ｈup,effに基づいて、アクセスポイントに対する空間フィルタ行列を導出する。各ユーザ端末に対する制御装置２８０は、アクセスポイント１１０にフィードバック情報（例えば、ダウンリンクおよび／またはアップリンクの固有ベクトル、固有値、ＳＮＲ推定値等）を送ってもよい。制御装置２３０および２８０はまた、アクセスポイント１１０およびユーザ端末１２０における様々な処理ユニットの動作をそれぞれ制御してもよい。
【００３４】
図３は、通信システム１００内で用いられてもよい、ワイヤレスデバイス３０２において利用されてもよい様々なコンポーネントを図示している。ワイヤレスデバイス３０２は、ここで記述した様々な方法を実現するように構成され得るデバイスの一例である。ワイヤレスデバイス３０２は、アクセスポイント１１０またはユーザ端末１２０であってもよい。
【００３５】
ワイヤレスデバイス３０２は、プロセッサ３０４を備えていてもよく、プロセッサ３０４は、ワイヤレスデバイス３０２の動作を制御する。プロセッサ３０４はまた、中央処理ユニット（ＣＰＵ）とも呼ばれることがある。メモリ３０６は、リードオンリーメモリ（ＲＯＭ）とランダムアクセスメモリ（ＲＡＭ）との両方を含んでいてもよく、命令およびデータをプロセッサ２０４に提供する。メモリ３０６の一部分は、不揮発性ランダムアクセスメモリ（ＮＶＲＡＭ）も含んでいてもよい。プロセッサ３０４は、メモリ３０６内に記憶されているプログラム命令に基づいて、論理的動作および算術的動作を実行してもよい。メモリ３０６における命令は、ここで記述した方法を実現するために実行可能であり得る。
【００３６】
プロセッサ３０４は、１つ以上のプロセッサにより実現される処理システムのコンポーネントを含んでいてもよく、または、１つ以上のプロセッサにより実現される処理システムのコンポーネントであってもよい。１つ以上のプロセッサは、汎用マイクロプロセッサ、マイクロ制御装置、デジタル信号プロセッサ、フィールドプログラム可能なゲートアレイ（ＦＰＧＡ）、プログラム可能な論理デバイス（ＰＬＤ）、制御装置、状態機械、ゲート論理、ディスクリートハードウェアコンポーネント、専用ハードウェア有限状態機械、あるいは、情報の、計算または他の操作を実行できる他の何らかの適したエンティティの任意の組み合わせにより実現されてもよい。
【００３７】
処理システムはまた、ソフトウェアを記憶する機械読み取り可能媒体も備えていてもよい。ソフトウェアは、ソフトウェア、ファームウェア、ミドルウェア、マイクロコード、ハードウェア記述言語、またはその他のものと呼ばれるかに関わらず、何らかのタイプの命令を意味するように広く解釈されるものとする。命令は、（例えば、ソースコードの形式、バイナリコードの形式、実行可能なコードの形式、または、他の何らかの適切なコードのフォーマットにおける）コードを含んでいてもよい。命令は、１つ以上のプロセッサによって実行されるときに、以下で記述した様々な機能を処理システムに実行させる。
【００３８】
ワイヤレスデバイス３０２は、ハウジング３０８も備えていてもよく、ハウジングは、ワイヤレスデバイス３０２とリモートロケーションとの間でのデータの送受信を可能にする、送信機３１０および受信機３１２を含んでもよい。送信機３１０および受信機３１２を組み合わせて、トランシーバ３１４にしてもよい。単数のまたは複数の送信アンテナ３１６が、ハウジング３０８に取り付けられることができ、トランシーバ３１４に電気的に結合させてもよい。示されてはいないが、ワイヤレスデバイス３０２は、複数の送信機、複数の受信機、および複数のトランシーバも備えてもよい。
【００３９】
ワイヤレスデバイス３０２は、信号検出器３１８も備えていてもよく、信号検出器３１８は、トランシーバ３１４によって受信された信号のレベルを検出して定量化するために使用してもよい。信号検出器３１８は、総エネルギー、シンボルあたりの副搬送波ごとのエネルギー、電力スペクトル密度、および他の信号のような信号を検出してもよい。ワイヤレスデバイス３０２はまた、信号を処理する際に使用するための、デジタル信号プロセッサ（ＤＳＰ）３２０も備えていてもよい。
【００４０】
ワイヤレスデバイス３０２の様々なコンポーネントは、データバスに加えて、電力バス、制御信号バス、ステータス信号バスを含んでもよい、バスシステム３２２により、共に結合されていてもよい。
【００４１】
ＬＰＰＣおよび他のコーディングスキームに対する待ち時間が少ないインターリービングの例
いくつかの態様では、図１で図示されているシステム１００は、ＩＥＥＥ８０２．１１ａｃワイヤレス通信標準規格にしたがって動作する。ＩＥＥＥ８０２．１１ａｃは、８０２．１１ワイヤレスネットワークにおいて、より高いスループットを可能にするＩＥＥＥ８０２．１１標準規格に対する改正を表す。より高いスループットは、一度に複数の局（ＳＴＡ）へのパラレルな送信のような、いくつかの手段を通して、実現されてもよい。いくつかの態様では、より広いチャネル帯域幅（例えば、８０ＭＨｚまたは１６０ＭＨｚ）が使用される。ＩＥＥＥ８０２．１１ａｃ標準規格は、時には、超高スループット（ＶＨＴ）ワイヤレス通信標準規格とも呼ばれることがある。
【００４２】
いくつかの態様では、図１中で図示されているシステム１００は、ＯＦＤＭを使用する。上述したように、複数の副搬送波は、ＯＦＤＭシステムでは、独立してデータにより変調される。さらに、ＯＦＤＭシステムのいくつかの態様では、各副搬送波を送信するために複数の空間チャネルを使用してもよい。いくつかの態様では、空間チャネルを空間ストリームと呼ぶ。各空間ストリームは、ワイヤレスノードのアンテナに対応していてもよく、例えば、そのアンテナを使用して送信されてもよい。ＯＦＤＭシステムに関して、以下でいくつかの態様を記述したが、他のシステムを使用してもよいことと、システム１００は、他の通信手段または通信モードを実現してもよいこととを当業者は正しく認識するだろう。
【００４３】
高レートＯＦＤＭシステムのようないくつかのシステムでは、コードワードの長さ（例えば、低蜜度パリティチェック（ＬＤＰＣ）コードワード）が、ＯＦＤＭシンボルにおけるビット数よりも短い。これは、各コードにおけるビットが、わずかのトーン（副搬送波）を通してしか送信されないので、完全な周波数ダイバシティを達成しないことを意味する。この問題を解消するための、ＬＤＰＣブロック長の完全なインターリーブまたは増加は、結果として、さらなるハードウェアの複雑性および／または待ち時間を招く。増加した待ち時間は、受信機によるデータの処理を遅延させるかもしれず、いくつかのシチュエーションでは、例えば、時間的感度のある送信および／または所望のサービスの品質（ＱｏＳ）をサポートするのに十分に早く通信をデコードできないときには、通信を途絶させるかもしれない。
【００４４】
したがって、望まれるものは、低減された待ち時間のインターリービングにより動作するための技術および装置である。
【００４５】
本開示のいくつかの態様は、小さいインターリーブの深さによるＬＤＰＣコーディングに対してインターリービングアプローチを利用する。深さは、各コードワードからのコード化されたビットが、ＯＦＤＭスペクトラムのかなりの部分をカバーする、ＯＦＤＭトーンの幅広い範囲にわたって送信されることを確実にするのに十分であってもよい。ＢＣＣ向けに設計されたインターリーバと比較したとき、このインターリービングアプローチは、結果として、より短い待ち時間となる。
【００４６】
送信より前にシンボルをインターリーブまたは順列するために、本開示のある態様を使用してもよい。いくつかの態様では、シンボルは、コードワードに対応しており、または、コードワードのサブセットを含む。シンボルは、コードワードからの連続したシンボルを含んでいてもよく、選択された空間ストリームを使用して、隣り合っていないトーンを通して送信されてもよい。シンボルは、（例えば、６４−ＱＡＭマッパーによってマッピングされたような）変調されたシンボルを含んでいてもよく、そして単一のＯＦＤＭシンボル中で送信されてもよい。他のコードワードからの変調されたシンボルも、ＯＦＤＭシンボル中で送信されてもよい。いくつかの態様では、少なくとも１つのコードワードのシンボルは、送信のために、トーンと空間ストリームとにマッピングされてもよい。ここで記述したようにマッピングすることによって、コードワードのシンボルは、送信するときに、周波数、時間、および／または空間ダイバシティを提供するために、トーンおよび／または空間ストリームの間に拡散されてもよい。いくつかの態様では、隣り合っている論理トーンは、隣り合っていない物理トーンにマッピングされる。いくつかの態様では、コードワードのシンボルは、すべての利用可能なトーンおよびすべての利用可能な空間ストリームの間に大体均一に拡散される。このような順列、インターリービング、および／またはマッピングは、受信の待ち時間を実質的に増加させずに実行されてもよい。したがって、コードワードは、通信を実質的に遅延させずに、増加した周波数、時間、および／または空間ダイバシティにより送信できる。いくつかの態様では、受信機における処理待ち時間は、既知のシステムと比較して減少する。
【００４７】
図４は、システム１００内で使用するワイヤレスノード４００のような送信エンティティのブロックダイヤグラムである。ワイヤレスノード４００は、情報を送信するために使用されてもよい。例えば、ワイヤレスノード４００は、図１または図２中で図示されているＡＰ１１０であってもよい。このような態様では、ワイヤレスノード４００は、ユーザ端末１２０のうちの１つに情報を送信するために使用されてもよい。同様に、ワイヤレスノード４００は、図１または図２中で図示されているユーザ端末１２０のうちのいずれのものであってもよい。このような態様では、ワイヤレスノード４００は、ＡＰ１１０に情報を送信するために使用されてもよい。ワイヤレスノード４００は、図３中で図示されているワイヤレスデバイス３０２に関して記述したように実現してもよい。
【００４８】
ワイヤレスノード４００は、ビットストリームをエンコードするためのエンコーダ４０２を具備していてもよい。ビットは、送信のための、データまたは情報を表してもよい。例えば、ビットは、図２中で図示されている、データソース２０８またはデータソース２８６から受信されてもよい。いくつかの態様では、エンコーダ４０２が、ビットストリームをコードワードにエンコードする。ストリームは、例えば、順方向エラー訂正（ＦＥＣ）コードを使用してエンコードされてもよい。１つの態様では、エンコーダ４０２によって使用されるＦＥＣコードは、コードワードを発生させるためのブロックコードを含む。例えば、ブロックコードは、低密度パリティティチェック（ＬＤＰＣ）コード、リードソロモンコード、または、他の様々な適したブロックコードのうちの任意のものを含んでいてもよい。エンコーダ４０２は、図２中で図示されているような、ＴＸデータプロセッサ２１０または２８８あるいは制御装置２３０または２８０を使用して実現されてもよい。さらに、エンコーダ４０２は、図３中で図示されている、プロセッサ３０４またはＤＳＰ３２０を使用して実現されてもよい。
【００４９】
ワイヤレスノード４００は、エンコーダ４０２によって決定されたコードワード中のビットを変調するための変調器４０４をさらに具備していてもよい。変調器４０４は、例えば、配列にしたがってコードワード中のビットを複数のシンボルにマッピングすることによって、コードワード中のビットから複数のシンボルを決定してもよい。１つの態様では、変調器４０４は、６４−ＱＡＭ（４相位相偏移変調）マッパーを備える。６４−ＱＡＭマッパーは、コードワード中の６ビットおきにシンボルをマッピングまたは決定してもよい。変調器４０４は、図２中で図示されているような、ＴＸデータプロセッサ２１０または２８８、あるいは制御装置２３０または２８０を使用して実現されてもよい。さらに、変調器４０４は、図３中で図示されている、プロセッサ３０４またはＤＳＰ３２０を使用して実現されてもよい。
【００５０】
ワイヤレスノード４００は、変調器４０４からの、トーンと空間ストリームとにシンボルのそれぞれをマッピングするための、シンボルマッピングモジュール４０６を付加的に備えていてもよい。トーンは、物理チャネルまたは副搬送波を含んでいてもよい。上述したように、トーンのそれぞれは、ＯＦＤＭシステムでは、データにより独立して変調されてもよい。さらにまた、上述したように、各トーンを通してデータを送信するために、１つ以上の空間ストリームを使用してもよい。
【００５１】
１つの態様では、ＯＦＤＭシンボルは、システムにおいて、例えば、システム１００においてデータを送信するのに利用可能なすべてのトーンの範囲における各トーンを、システムにおいてデータを送信するのに利用可能なすべての空間ストリームの範囲における各空間ストリームと組み合わせることによって規定される。例えば、ＯＦＤＭシンボルは、表すなわち行列として概念化されてもよく、ここで行列の各列は、図５中で図示されているように、利用可能な空間ストリームに対応しており、各行は、利用可能なトーンに対応している。システムにおいてＮS個の空間ストリームがあり、システムにおいてＮtones個のトーンがある場合、行列は、ＮS列およびＮtones行を持つだろう。いくつかの態様では、空間ストリームは、列の代わりに行によって表現されてもよく、トーンは、行の代わりに列によって表現されてもよい。
【００５２】
図５中で図示されている概念的な行列５００の例では、システムにおける送信のために利用可能な、４つの空間ストリームと１０個のトーンとが存在する。図示されている態様は、例に過ぎないが、各ＯＦＤＭシンボルは、より多いまたはより少ない数の空間ストリームならびに／あるいはトーンを含んでいてもよい。例えば、８０ＭＨｚＭＩＭＯ−ＯＦＤＭシステムでは、ＯＦＤＭシンボル中には、４つの空間ストリームと、２３４個のトーンとが存在するかもしれない。図示した態様では、トーンは、トーン０−トーン９として図示されている。当業者は、これらのラベルは例示を容易にするために使用されるものに過ぎないこと、そして、データを送信するためにシステムによって使用される範囲においてトーンは実際には周波数であってもよいことを正しく認識するだろう。しかしながら、いくつかの態様では、図示されているトーン０−トーン９における数字０−９は、そのそれぞれのトーンに対するインデックス（すなわち、トーンインデックス）と呼ばれることがある。同様に、図示されている空間ストリーム０−空間ストリーム３における数字０−３は、そのそれぞれの空間ストリームに対するインデックス（すなわち、空間ストリームインデックス）であると考えられてもよい。当業者は、図５中に図示されているものの間には、ユーザデータの送信に対して利用可能でないトーンがあってもよいを正しく認識するだろう。例えば、ＯＦＤＭシステムにおけるいくつかのトーンは、パイロット、ガード、ＤＣ、または制御信号のために予約されてもよい。
【００５３】
いくつかの態様では、コードワードにおける変調されたシンボルの数は、ＯＦＤＭモジュールでは、トーンと空間ストリームとを組み合わせた数よりも少ないだろう。したがって、複数のコードワードから変調されたシンボルは、単一のＯＦＤＭシンボル中で送信されてもよい。例えば、上述した８０ＭＨｚＭＩＭＯ−ＯＦＤＭシステムでは、およそ３つの異なるコードワードの変調されたシンボルが、ＯＦＤＭシンボル中で送信されてもよい。
【００５４】
例えば、行および列の交差するところで識別され、図５中で図示されている行列５００のセルにおいて示されているような、トーンと空間ストリームとの各組み合わせを使用して、変調されたシンボルを送信するためのパラメータを設定してもよい。ＯＦＤＭシンボルは、送信デバイスでは送信シンボルと呼ばれ、受信デバイスでは受信シンボルと呼ばれることがあり、トーンと空間ストリームとの組み合わせのすべての集まりを含んでいてもよい。
【００５５】
シンボルマッピングモジュール４０６は、図２中で図示されている、ＴＸデータプロセッサ２１０または２８８、あるいは制御装置２３０または２８０を使用して実現されてもよい。さらに、シンボルマッピングモジュール４０６は、図３中で図示されている、プロセッサ３０４またはＤＳＰ３２０を使用して実現されてもよい。いくつかの態様では、シンボルマッピングモジュール４０６またはその一部分を実現するために、逆高速フーリエ変換（ＩＦＦＴ）モジュールを使用する。シンボルマッピングモジュール４０６の機能を、以下でさらに詳細に記述する。
【００５６】
ワイヤレスノード４００は、シンボルマッピングモジュール４０６によってマッピングされている変調されたシンボルを送信するための送信モジュール４０８も具備していてもよい。１つの態様では、シンボルは、先に説明したような、行列すなわち表のセル中に書き込まれ、シンボルは、送信モジュール４０８による送信のために行列から読み取られる。例えば、各シンボルは、その行列セルに対応する空間ストリームを使用して、その行列セルに対応するトーンを通して送信されてもよい。いくつかの態様では、各空間ストリームは、別個のアンテナに対応し、所定の空間ストリームにマッピングされたシンボルのすべては、同じアンテナを使用して送信される。いくつかの態様では、シンボルをそれぞれのアンテナに出力するための、出力ポートまたは出力の他の形態が備えられてもよい。いくつかの態様では、シンボルは、行列のセル中に実際に書き込まれないが、シンボルは、例えば、ルックアップ関数を使用して、または、インデックスを数学的に使用して値を得ることによって、行列から得られた、トーンと空間ストリームとの組み合わせに依然としてマッピングされる。
【００５７】
いくつかの態様では、送信モジュール４０８は、例えば、ＡＰ１１０またはユーザ端末１２０にマッピングされたシンボルをワイヤレスに送信するように構成されている。送信モジュール４０８は、送信機（例えば、図３中で図示されている送信機３１０）を、または、送信機を組み合わせたもの（例えば、図２中で図示されている、送信機２２２ａ−２２２ａｐ、２５４ｍ−２５４ｍｕ、または２５４ｘａ−２５４ｘｕ）を使用して実現されてもよい。送信モジュール４０８は、トランシーバ中で実現されてもよい。いくつかの態様では、送信モジュール４０８の機能は、他のモジュール中で実現され、図４中で図示されている他のモジュールと別個に実現される必要はない。いくつかの態様では、送信モジュール４０８は、アンテナおよびトランシーバを、例えば、アンテナ２２４およびトランシーバ２２２を、またはアンテナ２５２およびトランシーバ２５４を備えている。メッセージは、送信モジュール４０８によりアンテナを通して送信されてもよい。いくつかの態様では、先に説明したように、メッセージは、複数のアンテナを通して送信されてもよい。
【００５８】
図６Ａ中で示されているような行列６００に関する行×行のスキームにしたがった、または、図６Ｂ中で示されているような行列６２０に関する列×列スキームにしたがった、トーンと空間ストリームとの組み合わせにシーケンシャルにマッピングされる、コードワードの変調されたシンボルは、十分な空間および／または周波数ダイバシティにより送信されないかもしれない。例えば、コードワード中の変調されたシンボルの数が、先に説明したように、ＯＦＤＭシンボル中でトーンと空間ストリームとの組み合わせの数よりも少ないとき、コードワードは、トーンの制限された範囲および／または空間ストリームの制限された範囲を使用して送信されてもよい。
【００５９】
図６Ａ中で図示されている態様では、コードワードは、例として、変調されたシンボルＡ−Ｎを含む。この説明を通して、シンボルＡ−Ｎを含むコードワードの例は、それと他の汎用的なコードワードとを区別するために、“Ｃｏｄｅｗｏｒｄ”と呼ぶことにする。コードワードは、図示されているよりも、より多いまたは少ない数のシンボルを含んでいてもよいことを当業者は正しく認識するだろう。例えば、上述した８０ＭＨｚ ＭＩＭＯ−ＯＦＤＭシステムでは、各コードワードには、３２４個のシンボルがある。図示したＣｏｄｅｗｏｒｄおよびシンボルの表現は、例示および説明を容易にするために使用されるに過ぎない。
【００６０】
組み合わせ行×行にマッピングされた後、図６Ａ中で図示されているＣｏｄｅｗｏｒｄは、利用可能なトーンの、大体三分の一だけを使用して送信されてもよい。同様に、図６Ｂ中で示されているように、同じＣｏｄｅｗｏｒｄが組み合わせ列×列にマッピングされた後、Ｃｏｄｅｗｏｒｄは、空間ストリームの二分の一だけを使用して送信されてもよい。ＯＦＤＭシンボル中の組み合わせの数に、より厳密に一致するように、コードワードの長さを増やした場合、エンコーダ４０２の複雑性は、システム１００における通信の待ち時間と同様に増すかもしれない。
【００６１】
しかしながら、トーンおよび／または空間ストリームのより広い範囲にわたって、コードワードのシンボルを送信するために、ここで記述した方法、モード、およびスキームを使用してもよい。いくつかの態様では、複雑性および／または待ち時間の実質的な増加なく、このような送信によるダイバシティの増加を達成する。いくつかの態様では、待ち時間が減少される。以下の記述に基づいて当業者が認識するように、少なくとも、コードワードの連続したシンボルのサブセットを送信するために使用される物理トーンは、それらのシンボルの論理トーンに関して順列されてもよい。例えば、同じ空間ストリームにマッピングされたサブセット中の任意のシンボルは、同じ空間ストリームにマッピングされたサブセット中の別のシンボルの隣り合っていないトーンを通して送信されるだろう。いくつかの態様では、サブセット中のシンボルは、すべてのトーンの範囲と、すべての空間ストリームの範囲とにわたって大体均一に分散される、トーンおよび空間ストリームの組み合わせにマッピングされる。
【００６２】
これから、シンボルマッピングモジュール４０６の機能に戻ると、シンボルマッピングモジュール４０６が、（例えば、変調器４０４からの）変調されたシンボルを、トーンおよび空間ストリームにマッピングするために使用してもよい、様々な方法、モード、またはスキームを記述する。ここで記述した方法、モード、またはスキームは、いくつかの開示した概念を図示するために使用される例に過ぎないことと、送信シンボルへの、変調されたシンボルのマッピングの、他の方法、モード、またはスキームを使用してもよいこととを、当業者は正しく認識するだろう。
【００６３】
先に説明したような、シンボルＡ−Ｎを持つＣｏｄｅＷｏｒｄの例に関して、以下の方法、モード、またはスキームを記述する。さらに先に説明したように、コードワードは、図示されているよりも、より多いまたは少ない数のシンボルを含んでいてもよいことを、当業者は正しく認識するだろう。さらに、先に説明したような、トーン０−トーン９と、空間ストリーム０−空間ストリーム３とを持つＯＦＤＭシンボルの例に関して、以下の方法、モード、またはスキームを記述する。さらに先に説明したように、送信シンボルは、より多いまたはより少ない数の空間ストリームおよび／またはトーンを含んでいてもよく、したがって、図示されているよりも、より多いまたはより少ない数の変調されたシンボルを送信するために使用されてもよい。
【００６４】
図７Ａおよび図７Ｂ中でそれぞれ図示されている行列７００および７２０の例では、Ｃｏｄｅｗｏｒｄのシンボルは、最初に、トーン０を持つすべての組み合わせにマッピングされる。したがって、シンボルＡ−Ｄは、｛空間ストリーム０，トーン０｝と、｛空間ストリーム１，トーン０｝と、｛空間ストリーム２，トーン０｝と、｛空間ストリーム３，トーン０｝とにマッピングされる。いくつかの態様では、シンボルＡ−Ｄは、実質的に、図７Ａ中で図示されているように、空間ストリームにシーケンシャルにマッピングされる。他の態様では、シンボルＡ−Ｄは、空間ストリームにランダムにマッピングされ、または、シーケンシャルでない順序を使用してマッピングされる。
【００６５】
シンボルＡ−Ｄがマッピングされた後、シンボルＥ−Ｈは、少なくとも１つのトーン（すなわち、隣り合っていないトーン）分だけトーン０から分離しているトーンを持つすべての組み合わせにマッピングされてもよい。したがって、シンボルＥ−Ｈは、トーン２−トーン９のうちのいずれかにマッピングされてもよい。１つの態様では、スキップするトーンの数は、例えば、間隔Ｄとなるように予め定められていてもよく、または、スキップするトーンの数は、規定された最大分離までの任意の数であってもよい。例えば、図７Ａ中で図示されている行列７００では、シンボルＥ−Ｈは、トーン２にマッピングされる。したがって、１トーンは、シンボルＡ−ＤおよびＥ−Ｈのマッピングを分離させる。シンボルＩ−ＬおよびＭ−Ｎは、同様に、トーン４およびトーン６にそれぞれマッピングされてもよい。いくつかの態様では、スキップするトーンの数は、１と９との間の整数であってもよい。例えば、整数は、データを送信するのに利用可能なトーンの範囲におけるトーンの数の整数の除数よりも少ないものを含んでいてもよい。
【００６６】
別の態様では、スキップするトーンの数は、コードワード中にあるシンボルの数Ｎscと、ＯＦＤＭシンボルのような、送信シンボル中の変調されたシンボルの数Ｎstとに基づいて決定されてもよい。例えば、同じ空間ストリームにマッピングされた２つのシンボルは、Ｎst／Ｎsc以下の最大の整数だけ異なるトーンに、または、Ｎst／Ｎsc以上の最小の整数分だけ異なるトーンにマッピングされてもよい。図７Ｂ中で図示されている行列７２０では、Ｃｏｄｅｗｏｒｄ中のシンボルが、ｃｅｉｌ（Ｎst／Ｎsc）＝３だけ異なるトーンにマッピングされる。いくつかの態様では、先に説明した間隔Ｄは、Ｎst／Ｎscよりも大きい。
【００６７】
インデックスｉを持つコードワードのシンボルが、上述した態様にしたがって、図５中で図示されている行列５００の第１行における第１のセルから始まる、トーンと空間ストリームとの組み合わせにシーケンシャルにマッピングされる場合、シンボルに対する空間ストリームのインデックスは、以下の式：
ＳｐａｔｉａｌＳｔｒｅａｍ＝ｉ ｍｏｄＮS                        （１）
を使用して決定されてもよい。  
このような態様では、シンボルに対するトーンのインデックスは、
Ｔｏｎｅ＝ｆｌｏｏｒ（ｉ／ＮS）×ｆｌｏｏｒ（Ｎst／Ｎsc）      （２）
を使用して、または、
Ｔｏｎｅ＝ｆｌｏｏｒ（ｉ／ＮS）×ｃｅｉｌ（Ｎst／Ｎsc）        （３）
を使用して決定されてもよい。  
いくつかの態様では、シンボルに対するトーンのインデックスは、
Ｔｏｎｅ＝ｆｌｏｏｒ（ｉ／ＮS）×Ｄ                            （４）
を使用して決定されてもよい。  
ここでＤは、先に説明したようなトーンマッピング間隔である。いくつかの態様では、Ｄは、ｆｌｏｏｒ（Ｎst／Ｎsc），ｃｅｉｌ（Ｎst／Ｎsc）、または、Ｎstの複数の別個の値に対して一定である数であってもよい。例えば、いくつかの態様では、Ｄは、２以上の整数であり、１０以下の整数である。さらなる例として、Ｄは、データを送信するのに利用可能なトーンの範囲におけるトーンの数の除数であってもよい。もちろん、コードワード中のシンボルは、行列の第１行中の第１のセルから始めてマッピングされる必要はない。コードワードのシンボルは、行列中のどこからでも始めてマッピングされてもよい。例えば、図７Ａ中で図示されているＣｏｄｅｗｏｒｄの後にマッピングされる、コードワードの第１のシンボルは、｛空間ストリーム２，トーン６｝にマッピングされてもよい。
【００６８】
図８Ａおよび８Ｂ中でそれぞれ図示されている行列８００および８２０の例では、Ｃｏｄｅｗｏｒｄ中の各シンボルは、それに先行するシンボルとは異なる、トーンおよび空間ストリームにマッピングされる。例えば、各シンボルは、先行シンボルがマッピングされるトーンに隣り合っているトーンに、および、先行シンボルがそれにマッピングされる空間ストリーム以外の任意の空間ストリームにマッピングされてもよい。
【００６９】
図８Ａ中で図示されている行列８００では、シンボルＡが、最初に、｛空間ストリーム０，トーン０｝にマッピングされる。シンボルＢが、その後、｛空間ストリーム０，トーン０｝にマッピングされる。その後の空間ストリームは、隣り合っているトーンと隣り合っている空間ストリームとにシーケンシャルにマッピングされる。行列の端に達したとき、マッピングは、反対側に“ラップアラウンド”する。したがって、シンボルＥのマッピングは、空間ストリーム０にラップアラウンドし、シンボルＫのマッピングは、トーン０にラップアラウンドする。
【００７０】
図８Ａでは、シンボルＡ−Ｊのサブセットが、トーン０−トーン９の範囲にわたって、空間ストリーム０−空間ストリーム３の範囲にわたって、大体均一にマッピングされる。シンボルのこのサブセットがマッピングされた後、Ｃｏｄｅｗｏｒｄ中の残りのシンボルが、例えば、ランダムに、または、サブセット中のシンボルに対して使用されるマッピングスキームにしたがって埋められてもよい。
【００７１】
インデックスｉを持つコードワードのシンボルが、上述した態様にしたがった図５中で図示されている行列の第１行における第１のセルから始まる、トーンと空間ストリームとの組み合わせにシーケンシャルにマッピングされる場合、シンボルに対する空間ストリームのインデックスは、以下の式：
ＳｐａｔｉａｌＳｔｒｅａｍ＝ｉ ｍｏｄＮS                      （５）
を使用して決定されてもよい。  
このような態様では、シンボルに対するトーンのインデックスは、Ｎtonesよりも小さいすべての値に対して、
Ｔｏｎｅ＝ｉ                                                （６）
を使用して決定されてもよい。Ｎtones以上のインデックスｉを持つシンボルに対して、それらのシンボルに対するトーンのインデックスは、ＮSで等しく除算可能でないＮtonesの値に対しては、
Ｔｏｎｅ＝ＮtonesｍｏｄＮS                                  （７）
を使用して、および、ＮSで等しく除算可能であるＮtonesの値に対しては、
Ｔｏｎｅ＝ＮtonesｍｏｄＮS＋１                              （８）
を使用して決定されてもよい。いくつかの態様では、このマッピングは、サイクリックシフトを使用して実現されてもよい。もちろん、コードワード中のシンボルは、行列の第１行中の第１のセルで始めてマッピングされる必要はない。コードワードのシンボルは、行列中のどこからでも始めてマッピングされてもよい。
【００７２】
図８Ｂ中で図示されている行列８２０では、シンボルＡは、トーン０に、そしてランダムな空間ストリームにマッピングされる。次にくるシンボルＢは、トーン１に、そして、Ａがマッピングされた空間ストリーム以外のランダムな空間ストリームにマッピングされる。同様に、シンボルＣは、トーン２に、そして、Ｂがマッピングされた空間ストリーム以外のランダムな空間ストリームにマッピングされる。行列８２０の例では、シンボルＡ−Ｊしか図示されていない。シンボルＫ−Ｎは、同様に、この方法でマッピングされてもよいことを、当業者は正しく認識するだろう。
【００７３】
図９Ａおよび９Ｂ中でそれぞれ図示されている行列９００および９２０の例では、Ｃｏｄｅｗｏｒｄのシンボルが、最初に、空間ストリーム０を持つすべての組み合わせにマッピングされる。しかしながら、各連続したシンボルは、少なくとも１つ分だけ前のシンボルのトーンから分離したトーンを持つ組み合わせにマッピングされる。１つの態様では、スキップするトーンの数は、例えば、間隔Ｄとなるように予め定められていてもよく、または、スキップするトーンの数は、規定された最大分離までの任意の数であってもよい。例えば、シンボルＡ−Ｅは、それぞれ、｛空間ストリーム０，トーン０｝と、｛空間ストリーム０，トーン２｝と、｛空間ストリーム０，トーン４｝と、｛空間ストリーム０，トーン６｝と、｛空間ストリーム０，トーン８｝とにマッピングされてもよい。いくつかの態様では、スキップするトーンの数は、１と９との間の整数であってもよい。例えば、整数は、データを送信するのに利用可能なトーンの範囲におけるトーンの数の整数の除数よりも、小さいものを含んでいてもよい。
【００７４】
別の態様では、スキップするトーンの数は、コードワード中にあるシンボルの数Ｎscと、ＯＦＤＭシンボルのような送信シンボル中の変調されたシンボルの数Ｎstとに基づいて決定されてもよい。例えば、同じ空間ストリームにマッピングされた２つのシンボルは、Ｎst／Ｎsc以下の最大整数分だけ異なるトーンに、あるいは、Ｎst／Ｎsc以上の最小整数分だけ異なるトーンにマッピングされてもよい。図９Ａおよび図９Ｂ中で図示されている行列９００および９２０では、コードワード中のシンボルは、ｃｅｉｌ（Ｎst／Ｎsc）＝３だけ異なるトーンにマッピングされる。いくつかの態様では、先に説明した間隔Ｄは、Ｎst／Ｎscよりも大きい。
【００７５】
いくつかの態様では、Ｃｏｄｅｗｏｒｄのいくつかのシンボルが、１つの空間ストリームに関係付けられているトーンの範囲にわたって組み合わせに大体均一にマッピングされているとき、次のシンボルが、トーン０と、隣り合っている空間ストリームとを含む組み合わせにマッピングされる。したがって、図９Ａ中で図示されている行列９００では、シンボルＦが、｛空間ストリーム１，トーン０｝にマッピングされる。
【００７６】
他の態様では、Ｃｏｄｅｗｏｒｄのいくつかのシンボルが、１つの空間ストリーム関係付けられているトーンの範囲にわたって組み合わせに大体均一にマッピングされているとき、トーンのスキップが行列の最下部から最上部に“ラップアラウンド”されるときに維持されるように、次のシンボルが、隣り合っている空間ストリームを含む組み合わせに、および、トーンにマッピングされる。したがって、図９Ｂ中で図示されている行列９２０では、シンボルＦが、｛空間ストリーム１，トーン２｝にマッピングされる。これは、上述したような、ｃｅｉｌ（Ｎst／Ｎsc）＝３に基づいて、トーン０およびトーン１がスキップされるからである。
【００７７】
インデックスｉを持つコードワードのシンボルが、上述した態様にしたがった図５中に図示されている行列の第１行における第１のセルから始まる、トーンと空間ストリームの組み合わせにシーケンシャルにマッピングされる場合、シンボルに対する空間ストリームのインデックス（すなわち、空間ストリームインデックス）は、以下の式：
ＳｐａｔｉａｌＳｔｒｅａｍ＝ｆｌｏｏｒ（ｉ／Ｎtones）             （９）
を使用して決定されてもよい。  
このような態様では、シンボルに対するトーンのインデックス（すなわち、トーンインデックス）は、
Ｔｏｎｅ＝ｆｌｏｏｒ（Ｎst／Ｎsc）×ｉ ｍｏｄＮtones              （１０）
を使用して、または、
Ｔｏｎｅ＝ｃｅｉｌ（Ｎst／Ｎsc）×ｉ ｍｏｄＮtones                （１１）を使用して決定されてもよい。  
もちろん、コードワード中のシンボルは、行列の第１行中の第１のセルから始めてマッピングされる必要はない。コードワードのシンボルは、行列中のどこからでも始めてマッピングされてもよい。送信のために、１つしか空間ストリームが使用されない態様では、送信のために、コードワードの変調されたシンボルをトーンにマッピングするために、上述したマッピング態様を使用してもよい。このような態様では、空間ストリームの範囲は、１つであり、そのコードワードのシンボルは、１つの空間ストリームのその範囲に対するトーンの範囲の間で分散されるだろう。
【００７８】
上述した態様は、コードワードに関係付けられている変調されたシンボルのマッピングを説明している。しかしながら、当業者は、複数のコードワードに関係付けられているシンボルを単一のＯＦＤＭシンボルにマッピングするために、上述した態様を使用してもよいことを正しく認識するだろう。例えば、複数のコードワードから変調されたシンボルは、単一のＯＦＤＭシンボル中で送信されてもよい。ＯＦＤＭシンボルの送信の前に、変調されたシンボルは、ＯＦＤＭシンボル中で、トーンと空間ストリームの各組み合わせたものにマッピングされる。マッピングの間、マッピングするために残されている所定のコードワードのシンボルがない場合には、次にくるコードワードからのシンボルがマッピングされる。このプロセスは、変調されたシンボルが各組み合わせにマッピングされるまで続く。いくつかの態様では、各シンボルは、上述した態様のうちの１つにしたがってマッピングされる。別の態様では、第１のコードワードからのシンボルが、上述した態様のうちの１つにしたがってマッピングされる一方で、次にくるコードワードからのシンボルは、異なるスキームまたは態様を使用してマッピングされる。いくつかの態様では、コードワードに関係付けられている変調されたシンボルは、２つ以上のＯＦＤＭシンボルの間で分けられてもよい。例えば、コードワードに関係付けられている変調されたシンボルは、変調されたシンボルが、ＯＦＤＭシンボル中のすべての組み合せにマッピングされるまで、ＯＦＤＭシンボルにマッピングされてもよい。その後、マッピングされていない、コードワード中のあらゆる変調されたシンボルは、次のＯＦＤＭシンボルにマッピングされるだろう。
【００７９】
図１０Ａは、複数のコードワードに関係付けられている変調されたシンボルが、１つのＯＦＤＭシンボルにマッピングされる態様を図示している。図示されている態様では、ＯＦＤＭシンボルは、トーン０−トーン７と、空間ストリーム０−空間ストリーム３とを含む。また、図示されている態様では、３つのコードワードに関係付けられているシンボルが表されている。第１のコードワードからのシンボルは、“１”で表現され、第２のコードワードからのシンボルは、“２”で表現され、そして、第３のコードワードからのシンボルは、“３”で表現されている。図示されている態様では、コードワードのそれぞれは、１２個のシンボルに関係付けられている。しかしながら、第３のコードワードに対応しているシンボルのうちの８個だけが、図示されているＯＦＤＭシンボルにマッピングされることもあり得る。第３のコードワードに対応している残りの４つのシンボルは、その後のＯＦＤＭシンボルにマッピングされてもよい。
【００８０】
図１０Ａ中で見ることができるように、３つのコードワードのそれぞれに対応しているシンボルは、送信のために、インターリーブされたトーンにマッピングされる。このように、コードワードのそれぞれのシンボルの送信のための全部の物理トーンは、シンボルの論理トーンに関して順列されてもよい。１つの態様では、順列は、任意の、または、順列された順序でトーンを出力するように構成されているＩＦＦＴモジュールによって実行されてもよい。いくつかの態様では、この順列は、待ち時間の、増加なく、または、ごくわずかな増加で実行される。
【００８１】
図１０Ｂは、複数のコードワードに関係付けられている変調されたシンボルが１つのＯＦＤＭシンボルにマッピングされる別の態様を図示している。図示されている態様では、第１のコードワード、第２のコードワード、および第３のコードワードからのシンボルは、再びＯＦＤＭシンボルにマッピングされ、図１０Ａに類似して、“１”と、“２”と、“３”とによって表現されている。しかしながら、図１０Ｂでは、ＯＦＤＭシンボルは、図７Ｂ中のＯＦＤＭシンボルと同じものであるとして図示されている。さらに、第１のシンボルに関係付けられているシンボルは、図７Ｂ中で図示されているシンボルＡ−Ｎに類似した方法でＯＦＤＭシンボルにマッピングされる。しかしながら、図１０Ｂは、第２および第３のシンボルは、例えば、第１のコードワードの最後のシンボルＮがマッピングされた位置に続いて、行列におけるセルで始めて、ＯＦＤＭシンボルに類似してマッピングされてもよいことを図示している。
【００８２】
図示されている態様では、第１のコードワードの最後のシンボルは、｛空間ストリーム１，トーン９｝にマッピングされてもよい。したがって、第２のコードワードの第１のシンボルは、｛空間ストリーム２，トーン９｝にマッピングされてもよい。第２のコードワード中の第３のシンボルが｛空間ストリーム０，トーン２｝にマッピングされるように、｛空間ストリーム３，トーン９｝における、第２のコードワード中の第２のシンボルのマッピングの後、第２のコードワード中のシンボルのマッピングは、“ラップアラウンド”してもよい。いくつかの態様では、第３のシンボルは、代わりに、｛空間ストリーム０，トーン１｝にマッピングされてもよい。図示されている態様では、第２のコードワードの最後のシンボルは、｛空間ストリーム３，トーン８｝にマッピングされる。したがって、第３のコードワードの第１のシンボルが、｛空間ストリーム０，トーン１｝にマッピングされ、第３のコードワードの第１２のシンボルは、｛空間ストリーム３，トーン７｝にマッピングされてもよい。図示されている態様では、第３のコードワードの第１３および第１４のシンボルは、次にくるＯＦＤＭシンボルにマッピングされてもよい。
【００８３】
“第１の”および“次の”のような用語を使用して態様を上述したが、シンボルのマッピングは、先の記述によって意味され得る何らかの順序に限定されない。当業者は、任意の順序でシンボルをマッピングしてもよいことを認識するだろう。
【００８４】
先に説明したように、先に説明した態様にしたがった、シンボルのマッピングは、ＯＦＤＭシンボルを表現しているテーブルまたは行列にシンボルのビットを書き込み、その後、そのテーブルまたは行列からシンボルを読み取ることによって実行されてもよい。また、先に説明したように、シンボルは、いくつかの態様では、実際には、行列のセル中に書き込まれないが、依然として、トーンと空間ストリームとの組み合わせにマッピングされてもよい。例えば、シンボルは、ルックアップ関数を使用することによって、または、インデックスを数学的に使用して値を導出することによって、先に説明した態様にしたがってトーンと空間ストリームとにマッピングされてもよい。さらに、変調シンボルを、または、このような変調シンボルを送信するために使用されるトーンをインターリーブまたは順列するために、変調シンボルをマッピングする他の方法または手段を使用してもよい。
【００８５】
図１１は、複数の変調シンボルのそれぞれを、トーンと空間ストリームとにマッピングするための、動作１１００の例を図示している。ワイヤレスノード（例えば、ワイヤレスノード４００）から情報を送信するために、動作１１００を使用してもよい。いくつかの態様では、ＡＰ１１０からユーザ端末１２０に、または、アクセス端末からＡＰに、情報を送信するために動作１１００を使用する。ワイヤレスノード４００のエレメントに関して以下の動作を記述するが、当業者は、ここで記述した動作のうちの１つ以上を実現するために他のコンポーネントを使用してもよいことを正しく認識するだろう。
【００８６】
１１０２では、ビットを、複数のコードワードに関係付けられている複数のビットにエンコードする。１１０２においてエンコードされたビットは、送信されることになるデータまたは情報を表してもよい。先に説明したように、ビットをエンコードすることは、ＬＤＰＣコードまたは他のブロックコードのような、ＦＥＣコードを使用することを含んでいてもよい。いくつかの態様では、ビットをエンコードすることは、複数のビット中のビット数が、エンコードするより前のビット数よりも大きいように、追加ビットを追加することを含む。エンコーディングは、例えば、エンコーダ４０２によって実行されてもよい。
【００８７】
エンコーディングの後、１１０４において、複数のビットが、複数の変調シンボルにマッピングされる。マッピングは、例えば、変調器４０４によって実行されてもよい。先に説明したように、変調器４０４は、マッピングを実行するように構成されている６４−ＱＡＭマッパーを備えていてもよい。
【００８８】
引き続き、１１０６において、複数の変調シンボルのそれぞれが、トーンと空間ストリームとにマッピングされる。先に説明したように、変調シンボルのそれぞれに対するトーンは、トーンの範囲中の任意のトーンであってもよく、空間ストリームは、空間ストリームの範囲中の任意の空間ストリームであってもよい。いくつかの態様では、トーンの範囲中のトーンと空間ストリームの範囲中の空間ストリームとの、すべての可能性ある組み合わせは、ＯＦＤＭシンボルに対応していてもよい。
【００８９】
いくつかの態様では、変調シンボルのいくつかは、空間ストリームの範囲中の空間ストリームに大体均一にマッピングされる。これらの変調シンボルは、複数のコードワードのうちの１つに関係付けられている連続ビットに対応していてもよい。さらに、これらの変調シンボルが共通の空間ストリームにマッピングされたとき、これらの変調シンボルは、隣り合っていないトーンにマッピングされてもよい。したがって、１１０６では、物理トーンが論理トーンに関して順列されるように、変調シンボルはマッピングされてもよい。
【００９０】
先に説明したように、変調シンボルは、第１のトーンを持つすべての組み合わせにマッピングされてもよい。追加的な変調シンボルは、第１のトーンに隣り合っていない第２のトーンを持つすべての組み合わせにマッピングされてもよい。例えば、第２のトーンは、予め定められた数のトーン分だけ第１のトーンから分離されてもよく、または、第１および第２のトーンの分離は、すべての可能性ある組み合わせの数と、コードワードに関係付けられているシンボルの数とに基づいて決定されてもよい。付加的なシンボルは、第２のトーンに隣り合っていない第３のトーンを持つすべての組み合わせにマッピングされてもよい。
【００９１】
また、先に説明したように、変調シンボルが、第１のトーンと第１の空間ストリームとの組み合わせにマッピングされた後、次の変調シンボルが、第１のトーンと異なる第２のトーンと、第１の空間ストリームと異なる第２の空間ストリームとの組み合わせにマッピングされてもよい。いくつかの態様では、第２のトーンは、第１のトーンに隣り合っており、第２の空間ストリームは、第１の空間ストリームに隣り合っている。このマッピングは、コードワードに関係付けられているすべてのシンボルに対して、または、コードワードに関係付けられているシンボルのサブセットに対して続いてもよく、最大トーンまたは空間ストリームが到達したときにラップアラウンドしてもよい。
【００９２】
さらに上述したように、コードワードのシンボルは、共通の空間ストリームと合成されたトーンに大体均一にマッピングされてもよい。これらのシンボルは、予め定められた数のトーン分だけ、または、すべての可能性ある組み合わせの数と、コードワードに関係付けられているシンボルの数とに基づいて決定されたトーンの数だけ分離されたトーンにマッピングされてもよい。例えば、変調シンボルが、第１のトーンと、第１の空間ストリームとの組み合わせにマッピングされた後、次の変調シンボルが、少なくとも１つの他のトーン分だけ第１のトーンから分離した第２のトーンと第１の空間ストリームとの組み合わせにマッピングされてもよい。シンボルは、トーンと他の空間ストリームとの組み合わせに同様にマッピングされてもよい。
【００９３】
ある態様では、サブセットの変調シンボルは、複数のトーンを複数の空間ストリームと相関させる行列にマッピングされてもよい。サブセット中のｉ番目の変調シンボルは、ｉ ｍｏｄ ＮSの空間ストリームインデックスを持つ空間ストリームに、および、ｉ or ｆｌｏｏｒ（ｉ／ＮS）ｘＤのトーンインデックスを持つトーンにマッピングされてもよい。ここでＮSは、複数の空間ストリーム中の空間ストリームの数であり、Ｄは、トーンマッピング間隔である。トーンマッピング間隔Ｄは、ｆｌｏｏｒ（Ｎst／Ｎsc）、ｃｅｉｌ（Ｎst／Ｎsc）、またはＮstの複数の別個の値に対して一定である数、のうちの１つを含んでいてもよい。ここでＮstは、送信シンボル中の変調シンボルの数であり、Ｎscは、複数のコードワードのうちの１つ中の変調シンボルの数である。ある態様では、複数のコードワードのうちの１つに対応していて、サブセット中に存在していない変調シンボルは、行列にマッピングされてもよく、ｋ番目の変調シンボルは、ｋのトーンインデックスを持つトーンにマッピングされ、そして、ｍａｘ（ｉ）がＮSで除算可能でない場合にはｍａｘ（ｉ）ｍｏｄ ＮSの空間ストリームインデックスを持つ空間ストリームインデックスに、または、ｍａｘ（ｉ）がＮSで除算可能である場合にはｍａｘ（ｉ）ｍｏｄ ＮS＋１の空間ストリームインデックスを持つ空間ストリームにマッピングされる。
【００９４】
他の態様では、サブセットの変調シンボルは、複数のトーンを複数の空間ストリームと相関させる行列にマッピングされてもよい。サブセット中のｉ番目の変調シンボルは、ｆｌｏｏｒ（ｉ／Ｎtones）の空間ストリームインデックスを持つ空間ストリームに、そして、ｆｌｏｏｒ（Ｎst／Ｎsc）ｘ ｉ ｍｏｄＮtonesまたはｃｅｉｌ（Ｎst／Ｎsc）ｘ ｉ ｍｏｄＮtonesのトーンインデックスを持つトーンに、マッピングされてもよい。ここでＮtonesは、複数のトーン中のトーンの数であり、ここでＮstは、送信シンボル中の変調シンボルの数であり、ここでＮscは、複数のコードワードのうちの１つ中の変調シンボルの数である。
【００９５】
ある態様では、複数の変調シンボルのそれぞれのマッピングは、サブセット中の第１の変調シンボルを第１のトーンと第１の空間ストリームとにマッピングすることと、サブセットの第２の変調シンボルを第１のトーンおよび第２の空間ストリームにマッピングすることと、サブセットの第３の変調シンボルを第２のトーンと第３の空間ストリームとにマッピングすることとを含む。第１および第２のトーンは、隣り合っていない。第２の変調シンボルに対応しているビットは、複数のコードワードのうちの１つ中の第１の変調シンボルに対応しているビットにすぐ後に続き、第３の変調シンボルに対応しているビットは、複数のコードワードのうちの１つ中の第２の変調シンボルに対応するビットにすぐ後に続く。
【００９６】
ある態様にしたがうと、第１のトーンと第２のトーンとの間のトーンの数は、複数のコードワードのうちの１つに関係付けられている変調シンボルの数で除算される、（複数のトーンおよび複数の空間ストリームのうち）可能性あるトーンおよび空間ストリームの組み合わせの数と大体同等であってもよい。
【００９７】
ここで記述したように、トーンマッピング間隔パラメータＤを使用して、すべての（ＬＤＰＣ）コード化されたストリーム上で、（ＬＤＰＣトーンマッピングを含んでいてもよい）変調シンボルのマッピングを実行してもよい。Ｄは、各帯域幅に対して一定であってもよく、異なる帯域幅に対するその値を以下の表１中で提供する。
【表１】
2013543326.tif 000003
【００９８】
１１０６におけるマッピングは、シンボルマッピングモジュール４０６によって実行されてもよい。いくつかの態様では、１１０６におけるマッピングのすべてまたは一部は、ＩＦＦＴモジュールによって実行され、ＩＦＦＴモジュールは、シンボルマッピングモジュール４０６と組み合わせて、シンボルマッピングモジュール４０６の一部として、または、シンボルマッピングモジュール４０６から分離して実現されてもよい。
【００９９】
１１０８では、マッピングされた変調シンボルが送信される。いくつかの態様では、各マッピングされたシンボルは、例えば、シンボルがマッピングされた空間ストリームを使用して、シンボルがマッピングされたトーンを通して送信されてもよい。いくつかの態様では、各空間ストリームは、別個のアンテナに対応し、各空間ストリームにマッピングされたシンボルは、それぞれのアンテナを使用して送信される。送信は、送信モジュール４０８によって実行されてもよい。マッピングされたシンボルは、例えば、システム１００中のノードにワイヤレスに送信されてもよい。
【０１００】
図１２は、システム１００内での使用するための、ワイヤレスノード１２００のような受信エンティティの例のブロックダイヤグラムを図示している。例えば、ワイヤレスノード４００から送信されたような情報を受信するために、ワイヤレスノード１２００を使用してもよい。例えば、ワイヤレスノード１２００は、図１または図２中で図示されているＡＰ１１０であってもよい。このような態様では、ユーザ端末１２０のうちの１つから、マッピングされたシンボルにより送信された情報を受信するために、ワイヤレスノード１２００を使用してもよい。同様に、ワイヤレスノード１２００は、図１または図２中で図示されている、ユーザ端末１２０のうちの任意のものであってもよい。このような態様では、ＡＰ１１０からのマッピングされたシンボルを使用して送信された情報を受信するために、ワイヤレスノード１２００を使用してもよい。ワイヤレスノード１２００は、図３中で図示されているワイヤレスデバイス３０２に関して記述したように実現されてもよい。
【０１０１】
ワイヤレスノード１２００は、様々なトーンおよび空間ストリームを通してシンボルを受信するための受信モジュール１２０２を具備していてもよい。シンボルは、ワイヤレスノード４００によって送信されたマッピングされたシンボルに対応する。したがって、シンボルは、先の態様に関して記述したような、トーンと空間ストリームとにマッピングされている。したがって、少なくとも、シンボルのサブセットは、データの受信に対して利用可能な空間ストリームの範囲にわたって大体均一的に受信されてもよい。このサブセット中のシンボルは、コードワードに関係付けられているビットに対応していてもよい。いくつかの態様では、（ワイヤレスノード４００によってマッピングおよび送信するより前の）ビットのオリジナルの順序は、連続している。いくつかの態様では、共通の空間ストリームを通して受信される、サブセットのシンボルは、トーンの範囲における隣り合っていないトーンを通して受信される。いくつかの態様では、各空間ストリームに対応しているシンボルは、それぞれのアンテナを通して受信されてもよい。いくつかの態様では、入力ポートまたは入力の他の形態は、それぞれのアンテナからシンボルを受信するように備えられていてもよい。
【０１０２】
受信モジュール１２０２は、受信機（例えば、図３中で図示されている受信機３１２）、または、受信機の組み合わせ（例えば、図２中で図示されている受信機２２２ａ−２２２ａｐ、２５４ｍ−２５４ｍｕ，または２５４ｘａ−２５４ｘｕ）を使用して実現されてもよい。受信モジュール１２０２は、トランシーバ中で実現されてもよい。いくつかの態様では、受信モジュール１２０２の機能は、他のモジュール中で実現され、図１２中で図示されている他のモジュールから分離して実現される必要はない。いくつかの態様では、受信モジュール１２０２は、アンテナおよびトランシーバ、例えば、アンテナ２２４およびトランシーバ２２２またはアンテナ２５２およびトランシーバ２５４を含む。メッセージは、受信モジュール１２０２によりアンテナを通して受信されてもよい。いくつかの態様では、メッセージは、先に説明したように、複数のアンテナを通して受信されてもよい。
【０１０３】
ワイヤレスノード１２００は、少なくとも１つのコードワードに対して受信されたシンボルをコードワードのオリジナルの順序になるように配置するためのデインターリーバ１２０４をさらに具備していてもよい。いくつかの態様では、ＯＦＤＭシンボル中で受け取られた変調されたシンボルは、図５中で図示されている行列５００に類似しているテーブルまたは行列に書き込まれる。シンボルが行列中に記憶された後、シンボルは、ワイヤレスノード４００によって使用されたマッピングスキームにしたがって、行列から読み取られもよい。いくつかの態様では、シンボルは、実際に、行列のセル中に書き込まれないが、デインターリーバ１２０４は、例えば、ルックアップ関数または数学アルゴリズムを使用してシンボルを適切に配置するように構成されている。いくつかの態様では、ワイヤレスノード４００によって使用されるマッピングスキームは、デインターリーバ１２０４によってアプリオリに知られている。他の態様では、スキームを示している情報は、受信モジュール１２０２において受け取られ、適切なマッピングがデインターリーバ１２０４に通知されてもよい。例えば、この情報は、制御チャネルを通して送信されてもよく、または、シンボルのうちの１つ以上を持つパケット中に含まれていてもよい。
【０１０４】
デインターリーバ１２０４が、どのようにシンボルがマッピングされたかを知った場合、デインターリーバ１２０４は、受け取ったシンボルを完全なコードワード中に配置してもよい。例えば、デインターリーバ１２４は、第１のトーンを通して受け取ったすべてのシンボルをコードワードに割り振ってもよい。同様に、第１のトーンに隣り合っていない第２の（または第３等の）トーンを通して受け取ったすべてのシンボルは、コードワードに割り振られてもよい。したがって、図７Ａおよび図７Ｂ中で示されているようにマッピングされているシンボルは、図１０Ａおよび図１０Ｂ中で示されているようにマッピングされているようなシンボルのように、コードワード中に配置されてもよい。いくつかの態様では、デインターリーバ１２０４は、式（１）−（４）の逆を使用して、受け取ったシンボルの適切なインデックスを決定してもよい。
【０１０５】
別の例として、デインターリーバ１２０４は、第１のトーンと第１の空間ストリームとを通して受け取ったシンボルを、そして、第１のトーンとは異なる第２のトーンおよび第１の空間ストリームとは異なる第２の空間ストリームを通して受け通った別のシンボルを、コードワード中に配置してもよい。したがって、図８Ａおよび８Ｂ中で示されているようにマッピングされているシンボルは、コードワード中に配置されてもよい。デインターリーバ１２０４が、各シンボルをマッピングするために使用した基準を知る場合、デインターリーバは、受け取ったシンボルをコードワード中に配置してもよい。いくつかの態様では、デインターリーバ１２０４は、式（５）−（８）の逆を使用して、受け取ったシンボルの適切なインデックスを決定してもよい。
【０１０６】
さらなる例として、デインターリーバ１２０４は、共通の空間ストリームを通して受け取った、および、予め定められた数のトーン分だけ離れているトーンを通して受け取ったシンボルを、コードワード中に配置してもよい。したがって、図９Ａおよび図９Ｂ中で示されているようにマッピングされているシンボルは、コードワード中に配置されていてもよい。いくつかの態様では、デインターリーバ１２０４は、式（９）−（１１）の逆を使用して、受け取ったシンボルの適切なインデックスを決定してもよい。
【０１０７】
したがって、デインターリーバ１２０４は、コードワードに関係付けられていて、物理トーンの順列されたセットを通して受け取られたシンボルを、そのコードワードに対する論理トーンのオリジナルの構成になるように配置するように構成されていてもよい。いくつかの態様では、コードワードに対するシンボルは、２つ以上のＯＦＤＭシンボルを通して受信される。いくつかの態様では、デインターリーバ１２０４は、図２中で図示されている、ＲＸデータプロセッサ２７０または２４２、あるいは制御装置２３０または２８０を使用して実現されてもよい。さらに、デインターリーバ１２０４は、図３中で図示されている、プロセッサ３０４またはＤＳＰ３２０を使用して実現されてもよい。いくつかの態様では、デインターリーバ１２０４またはその部分を実現するために、高速フーリエ変換（ＦＦＴ）モジュールを使用する。先に説明したように、上述した態様に準ずるシンボルのマッピングは、待ち時間を減少させることができる。このように、例えば、デインターリーバ１２０４において、ワイヤレスノード１２００における処理の待ち時間を減少させることができる。
【０１０８】
ワイヤレスノード１２００は、シンボルを、複数のコードワードに関係付けられているビットに復調するための復調器１２０６も具備していてもよい。デインターリーバ１２０４によって、シンボルをコードワードのオリジナルの順序に適切に配置した後、シンボルは、そのコードワードに関係付けられているビットに復調されてもよい。復調器１２０６は、例えば、配列における、シンボルへのビットのマッピングを逆にしてもよい。いくつかの態様では、復調器は、６４−ＱＡＭ復調器を含む。６４−ＱＡＭ復調器は、コードワードに関係付けられている受け取ったシンボルごとから、コードワードの６ビットを決定してもよい。いくつかの態様では、復調器１２０６は、図２中で図示されている、ＲＸデータプロセッサ２７０または２４２、あるいは制御装置２３０または２８０を使用して実現されてもよい。さらに、復調器１２０６は、図３中で図示されている、プロセッサ３０４またはＤＳＰ３２０を使用して実現されてもよい。
【０１０９】
ワイヤレスノード１２００は、復調器１２０６からのビットをデコードするためのデコーダ１２０８を付加的に具備していてもよい。１つの態様では、デコーダ１２０８は、コードワードに関係付けられているビットを受け取り、ワイヤレスノード４００によって送信されたデータを表しているビットストリームを出力する。例えば、コードワードは、コードワードをエンコードするために使用されたＦＥＣコードの形態のような、ブロックコードを使用してデコードされてもよい。いくつかの態様では、デコーダ１２０８は、ＬＤＰＣコード、リードソロモンコード、または他の様々な適したブロックコードのうちの任意のものを使用して、ビットをデコードするように構成されている。いくつかの態様では、コードワードに関係付けられているビットをデコードすることは、あるビットを取り除くことを含む。
【０１１０】
いくつかの態様では、デコーダ１２０８は、反復デコーディングを、例えば、ＬＤＰＣ反復デコーディングを実行するように構成されている。１つの態様では、反復デコーディングを実行するために使用される時間は、例えば、先に説明したような、受け取ったシンボルの処理の間に、減少された待ち時間分だけオフセットされてもよい。したがって、受け取った情報の総処理時間は、一定に保持されてもよく、またはいくつかの態様では、上述したシンボルのマッピングを使用するときに減少できる。いくつかの態様では、デコーダ１２０８は、図２中で図示されている、ＲＸデータプロセッサ２７０または２４２、あるいは制御装置２３０または２８０を使用して実現されてもよい。さらに、デコーダ１２０８は、図３中で図示されている、プロセッサ３０４またはＤＳＰ３２０を使用して実現されてもよい。
【０１１１】
図１３は、複数のトーンおよび空間ストリームを通して複数の変調シンボルを受信して、オリジナルのメッセージのビットを決定するために、受信したシンボルを解釈するための動作１３００の例を図示している。ワイヤレスノード、例えば、ワイヤレスノード４００から情報を受信するために、動作１３００を使用してもよい。受信を実行するために、ワイヤレスノード（例えば、ワイヤレスノード１２００）を使用してもよい。いくつかの態様では、ＡＰ１１０から、または、ユーザ端末１２０から情報を受信するために、動作１３００を使用する。ワイヤレスノード１２００のエレメントに関して以下に動作を記述するが、当業者は、ここで記述した動作のうちの１つ以上を実現するために他のコンポーネントを使用してもよいことを正しく認識するだろう。
【０１１２】
１３０２では、複数のトーンと複数の空間ストリームとを通して、複数の変調シンボルを受信する。変調シンボルは、複数のコードワードに関係付けられているビットに対応していてもよい。複数の変調シンボルのサブセットは、複数のコードワードのうちの１つに関係付けられている連続ビットに対応していてもよく、変調シンボルのサブセットは、複数の空間ストリームを通して大体均一に分散されてもよい。いくつかの態様では、共通の空間ストリームを通して（すなわち、同じ空間ストリーム中で）受信される、サブセットの変調シンボルは、複数のトーン中で隣り合っていないトーンを通して分散される。１３０２における受信は、例えば、受信モジュール１２０２によって実行されてもよい。
【０１１３】
１３０４では、受信した変調シンボルのサブセットが、複数のコードワードのうちの１つに対応しているオリジナルの順序になるように配置される。例えば、デインターリーバ１２０４に関して上述したように、変調シンボルは、変調シンボルをマッピングするために使用されるスキームを示している情報に基づいて適切に配置されてもよい。情報は、アプリオリに知られてもよく、または受け取られてもよい。いくつかの態様では、式（１）−（１１）のうちのいずれかの逆に対応している関数を使用して、シンボルのインデックスを決定してもよい。いくつかの態様では、受け取られた変調シンボルは、テーブルまたは行列に書き込まれる、および、テーブルまたは行列から読み取られる。他の態様では、変調シンボルのポジションは、例えば、調べられ、または、数学的に決定される。配置は、デインターリーバ１２０４によって実行されてもよい。いくつかの態様では、ＦＦＴは、コードワードのシンボルに対して順列された物理トーンを、コードワードに対する論理トーンになるように配置するように構成されている。例えば、１３０４における配置は、複数の変調シンボルを複数の論理トーンになるように配置するために複数の変調シンボルが受け取られる物理トーンを順列することを含んでいてもよい。
【０１１４】
１３０４において変調シンボルが配置された後、１３０６において、コードワードに関係付けられている変調シンボルが、復調される。復調は、変調シンボルへの、ビットのマッピングを逆にしてもよい。したがって、１３０６において、複数のビットが識別されてもよい。復調は、例えば、復調器１２０６によって実行されてもよい。
【０１１５】
１３０８では、復調されたビットがデコードされる。例えば、復調されたビットは、ＬＤＰＣコード、リードソロモンコード、または他の様々な適したブロックコードのうちのいずれのもののような、ブロックコードによりデコードされてもよい。復調は、コードワードに関係付けられている複数のビットに基づく送信されたデータを表しているビットストリームを決定してもよい。１３０８におけるデコーディングは、デコーダ１２０８によって実行されてもよい。
【０１１６】
図１４は、システム１００内で使用するワイヤレスノード１４００の態様を図示している。情報を送信するために、ワイヤレスノード１４００を使用してもよい。例えば、ワイヤレスノード１４００は、図１または図２中で図示されているＡＰ１１０であってもよい。このような態様では、ユーザ端末１２０のうちの１つに情報を送信するためにワイヤレスノード１４００を使用してもよい。同様に、ワイヤレスノード１４００は、図１または図２中で図示されているユーザ端末１２０のうちのいずれのものであってもよい。このような態様では、ＡＰ１１０に情報を送信するために、ワイヤレスノード１４００を使用してもよい。図３中で図示されているワイヤレスデバイス３０２に関して記述したように、ワイヤレスノード１４００を実現してもよい。
【０１１７】
図１４中で図示されている態様では、データを２人以上のユーザに送信するように構成されているアクセスポイントとして、ワイヤレスノード１４００を図示している。しかしながら、ワイヤレスノード１４００は、ひとりだけのユーザにデータを送信してもよく、または、２人よりも多いユーザにデータを送信するように構成していてもよい。
【０１１８】
ワイヤレスノード１４００は、ビットストリームをエンコードするためのエンコーダ１４１２を具備していてもよい。ビットは、図１４中で示されているような、第１のユーザすなわち装置への送信のための、データまたは情報を表していてもよい。例えば、ビットは、図２中で図示されている、データソース２０８またはデータソース２８６から受け取られてもよい。いくつかの態様では、ワイヤレスノード１４００から送信された通信のロバトネスを増加させるために、エンコーダ１４１２が、例えばＦＥＣコードのようなエラー補正コードを使用してビットストリームをエンコードする。図１４中で図示されている態様では、エンコーダ１４１２は、バイナリ畳み込みコード（ＢＣＣ）を使用してビットをエンコードするように構成されているＢＣＣエンコーダを含む。例えば、ブロックコードによりエンコードされた情報を受け取ることができない、あるいは、選択された選択モードにしたがって、または、あるタイプのデータの送信のために使用されてもよいレガシーアクセス端末への送信のためにデータをエンコードするために、ＢＣＣエンコーダを使用してもよい。エンコーダ１４１２は、図２中で図示されている、ＴＸデータプロセッサ２１０または２８８、あるいは制御装置２３０または２８０を使用して実現されてもよい。さらに、エンコーダ１４１２は、図３中で図示されている、プロセッサ３０４またはＤＳＰ３２０を使用して実現されてもよい。
【０１１９】
ワイヤレスノード１４００は、ユーザに対するエンコードされたビットを別個のストリームに分離させるためのストリームパーサ１４１４をさらに具備していてもよい。例えば、各ストリームは、ユーザのアクセス端末上で実行している、それぞれのアプリケーションまたはプロセスに対応していてもよい。図示されている態様では、ストリームパーサ１４１４は、エンコードされたビットを、２つの別個のストリームに分ける。いくつかの態様では、ストリームパーサ１４１４は省略されており、単一のビットストリームが、インターリーバ１４１５に渡される。他の態様では、ストリームパーサ１４１４は、ユーザに１つしかストリームを送らないであろうことを決定する。いくつかの態様では、ストリームパーサ１４１４が、エンコードされたビットを２つよりも多いストリームに分けてもよい。いくつかの態様では、８個までのストリームが、ワイヤレスノード１４００において同時に処理されてもよい。ストリームパーサ１４１４によってパーズされたストリームを、いくつかの態様では、論理空間ストリームと呼ぶことがある。ストリームパーサ１４１４は、図２中で図示されている、ＴＸデータプロセッサ２１０または２８８、あるいは制御装置２３０または２８０を使用して実現されてもよい。さらに、ストリームパーサ１４１４は、図３中で図示されている、プロセッサ３０４またはＤＳＰ３２０を使用して実現されてもよい。
【０１２０】
インターリーバ１４１５は、エンコーダ１４１２によってエンコードされたビットをインターリーブするように構成されている。いくつかの態様では、インターリーバ１４１５ａおよび１４１５ｂそれぞれは、ストリームパーサ１４１４から、エンコードされたビットのそれぞれのストリームを受け取ってインターリーブする。エンコードされたビットが、エンコーダ１４１２またはストリームパーサ１４１４から受け取ったものとは異なる順序で出力されるように、インターリーバ１４１５は、エンコードされたビットを再配置してもよい。インターリーバ１４１５は、図２中で図示されている、ＴＸデータプロセッサ２１０または２８８、あるいは制御装置２３０または２８０を使用して実現されてもよい。さらに、インターリーバ１４１５は、図３中で図示されている、プロセッサ３０４またはＤＳＰ３２０を使用して実現されてもよい。
【０１２１】
ワイヤレスノード１４００は、配列にしたがって、インターリーブされたビットを複数のシンボルにマッピングするための、配列マッパー１４１６をさらに具備していてもよい。いくつかの態様では、配列マッパー１４１６ａおよび１４１６ｂそれぞれは、インターリーバ１４１５ａおよび１４１５ｂから、インターリーブされたビットのそれぞれのストリームを受け取ってマッピングする。各マッピングされたシンボルは、論理トーンに関係付けられてもよい。いくつかの態様では、配列マッパー１４１６は、図４に関して先に記述した変調器４０４と同様に構成されており、または図４に関して上述した変調器４０４を使用して実現されている。
【０１２２】
ワイヤレスノード１４００は、ワイヤレスノード１４００において処理されるストリーム中の各シンボルを物理空間ストリームにマッピングするための、空間マッピングモジュール１４３０を付加的に備えていてもよい。例えば、空間マッピングモジュール１４３０は、送信のために、所定のトーンにマッピングされるすべてのシンボルを受け取ってもよく、その後、送信のために、複数のアンテナの間で、これらのシンボルを拡散させてもよい。１つの態様では、ワイヤレスノード１４００によって処理される各ストリームは、ＯＦＤＭシンボル中ではトーンにつき１つのシンボルを生じさせる。空間マッピングモジュール１４３０は、各トーンに対する各ストリームからシンボルを受け取り、送信のために、共通のトーンを持つすべてのシンボルをそれぞれのアンテナに割り当ててもよい。いくつかの態様では、少なくとも、存在するストリームと同じ数のアンテナが存在する。図示されている態様では、配列マッパー１４１６によって出力されたシンボルのシーケンス中のシンボルは、シーケンシャルなトーンを通して送信される。したがって、配列マッパー１４１６によって出力されたシンボルを送信するために使用される物理トーンは、これらのシンボルのそれぞれに関係付けられている論理トーンに対応していてもよく、または、これらのシンボルのそれぞれに関係付けられている論理トーンと実質的に同じであってもよい。いくつかの態様では、空間マッピングモジュール１４３０またはその一部を実現するために、図４に関して上述したシンボルマッピングモジュール４０６を使用する。空間マッピングモジュール１４３０は、図２中で図示されているＴＸデータプロセッサ２１０または２８８、あるいは制御装置２３０または２８０を使用して実現されてもよい。さらに、空間マッピングモジュール１４３０は、図３中で図示されている、プロセッサ３０４またはＤＳＰ３２０を使用して実現されてもよい。
【０１２３】
ワイヤレスノード１４００は、例えば、ＯＦＤＭシンボル中での、トーンを通しての送信のために、周波数領域中で変調シンボルを信号に変換するための、ＩＦＦＴモジュール１４１９も備えていてもよい。いくつかの態様では、ワイヤレスノード１４００中で存在するアンテナと同じ数のＩＦＦＴモジュール１４１９が存在する。図１４中で図示されている態様では、ワイヤレスノード１４００において処理されるストリームの数に一致する４つのＩＦＦＴモジュール１４１９ａ−１４１９ｄがある。いくつかの態様では、ＩＦＦＴモジュール１４１９は、空間マッピングモジュール１４３０の一部、または、すべてを実現してもよい。ＩＦＦＴモジュール１４１９は、図２中で図示されている、ＴＸデータプロセッサ２１０または２８８、あるいは制御装置２３０または２８０を使用して実現されてもよい。さらに、ＩＦＦＴモジュール１４１９は、図３中で図示されている、プロセッサ３０４またはＤＳＰ３２０を使用して実現されてもよい。いくつかの態様では、ＩＦＦＴモジュール１４１９は、図４中で図示されている送信モジュール４０８を使用して実現される。
【０１２４】
いくつかの態様では、ワイヤレスノード１４００は、他のシンボルストリームに関する遅延分だけシンボルのストリームをシフトさせるための、サイクリックシフトダイバシティ（ＣＳＤ）モジュール１４１８をさらに具備する。これは、シンボルのストリームの送信に、付加的なダイバシティを取り入れてもよい。いくつかの態様では、第１のストリームを除くシンボルの各ストリームは、ＣＳＤモジュールによってシフトされる。この方法では、各ストリームは、第１のストリームに関するそれぞれの量分だけオフセットされてもよい。例えば、図１４中で図示されている態様は、３つのＣＳＤモジュール１４１８と、１４２８ａと、１４２８ｂとを示している。いくつかの態様では、遅延分だけシンボルのストリームをシフトさせるための別のモジュールが、ＣＳＤモジュール１４１８の代わりに、または、ＣＳＤモジュール１４１８に加えて、ワイヤレスノード１４００中に備えられている。ＣＳＤモジュール１４１８は、図２中で図示されている、ＴＸデータプロセッサ２１０または２８８、あるいは制御装置２３０または２８０を使用して実現されてもよい。さらに、ＣＳＤモジュール１４１８は、図３中で図示されている、プロセッサ３０４またはＤＳＰ３２０を使用して実現されてもよい。
【０１２５】
ワイヤレスノード１４００は、ビットストリームを複数のコードワードにエンコードするための別のエンコーダ１４２２を備えていてもよい。ビットは、図１４中で示されているような、第２のユーザまたは装置への送信のための、データまたは情報を表してもよい。いくつかの態様では、エンコーダ１４２２は、ＦＥＣコードのようなエラー補正コードを使用して、ビットストリームをエンコードする。図１４中で図示されている態様では、エンコーダ１４２２は、ＬＤＰＣコードを使用してビットをエンコードするように構成されているＬＤＰＣエンコーダを備える。いくつかの態様では、エンコーダ１４２２は、図４に関して上述したエンコーダ４０２と同様に構成されている、または、図４に関して上述したエンコーダ４０２を使用して実現される。
【０１２６】
ワイヤレスノード１４００は、コードワードのそれぞれに関係付けられるエンコードされたビットを、別個のストリームに分離させるためのストリームパーサ１４２４をさらに備えていてもよい。図示されている態様では、ストリームパーサ１４２４が、エンコードされたビットを２つの別個のストリームに分ける。いくつかの態様では、ストリームパーサ１４２４は省略されている。他の態様では、ストリームパーサ１４２４は、ユーザに１つだけストリームを送ることを決定する。いくつかの態様では、ストリームパーサ１４２４は、エンコードされたビットを、２つよりも多いストリームに分けてもよい。いくつかの態様では、８個までのストリームが、ワイヤレスノード１４００において同時に処理されてもよい。ストリームパーサ１４２４によってパーズされたストリームをいくつかの態様では論理空間ストリームと呼んでもよい。そうでなければ、ストリームパーサ１４２４は、ストリームパーサ１４１４と同様に構成されていてもよい。いくつかの態様では、共通のストリームパーサは、ストリームパーサ１４１４および１４２４の両方の機能を実行してもよい。
【０１２７】
ワイヤレスノード１４００は、配列にしたがって、ストリーム中のコードワードに関係付けられているビットを複数のシンボルにマッピングする配列マッパー１４２６ｂも備えていてもよい。いくつかの態様では、配列マッパー１４２６ａおよび１４２６ｂそれぞれは、ストリームパーサ１４２４からのそれぞれのストリーム中で、コードワードに関係付けられているビットを受け取ってマッピングする。各マッピングされたシンボルは、論理トーンに関係付けられていてもよい。いくつかの態様では、配列マッパー１４２６は、図４に関して上述した変調器４０４と同様に構成されており、または、図４に関して上述した変調器４０４を使用して実現される。
【０１２８】
ワイヤレスノード１４００は、配列マッパー１４２６からのシンボルの物理トーンをインターリーブするための、トーンインターリーバ１４２７も具備していてもよい。ＢＣＣエンコーダに関係付けられているストリーム中の変調シンボルは、ＯＦＤＭシンボル中のトーンにシーケンシャルに関係付けられてもよいが、ＬＤＰＣエンコーダに関係付けられているストリーム中のシンボルの送信のための全体的な物理トーンは、例えば、図１０に関して先に説明したように、これらのシンボルの論理トーンに関して順列されてもよい。トーンの、このインターリービングまたは順列は、配列マッパー１４２６による、変調またはシンボルマッピングの後だが、ＣＳＤモジュール１４２８によってシフトさせるより前に実行されてもよい。いくつかの態様では、トーンインターリーバ１４２７ａおよび１４２７ｂそれぞれは、それぞれのストリーム中のコードワードに関係付けられているシンボルを受信し、それらのシンボルを送信するために使用されるであろうトーンをインターリーブする。いくつかの態様では、トーンインターリーバ１４２７は、図４に関して上述したシンボルマッピングモジュール４０６と同様に構成されており、または図４に関して上述したシンボルマッピングモジュール４０６を使用して実現される。
【０１２９】
ＣＳＤモジュール１４２８は、他のシンボルストリームに関する、例えば、第１のストリームに関する遅延分だけ、インターリーブされたトーンに関係付けられているまたはマッピングされているシンボルをシフトさせる。いくつかの態様では、ＣＳＤモジュール１４２８ａおよび１４２８ｂそれぞれは、それぞれのストリーム中のコードワードに関係付けられているシンボルを受け取り、それぞれの遅延分だけシンボルをシフトさせる。ＣＳＤモジュール１４２８は、ＣＳＤモジュール１４１８と同様に構成されていてもよい。いくつかの態様では、ＩＦＦＴモジュール１４１９は、トーンインターリーバ１４２７、ＣＳＤモジュール１４１８、ＣＳＤモジュール１４２８、および空間マッピングモジュール１４３０のそれぞれの、一部分またはすべてを実現してもよい。
【０１３０】
図１４中で図示されているモジュールのうちのいくつかは、“ａ”または“ｂ”の添え字を持つ参照数字でラベル付けされている。いくつかの態様では、“ａ”および“ｂ”の両方のモジュールの代わりに単一のモジュールが、ワイヤレスノード１４００中で実現される。他の態様では、付加的なモジュールが実現される。例えば、各空間ストリームに対するモジュールが実現されてもよい。任意のユーザに対して空間ストリームが２つよりも多いとき、“ａ”および“ｂ”モジュールに加えたモジュールが、備えられていてもよい。さらに、図１４中で図示されているモジュールのうちのいくつかは、類似した名前でラベル付けされる。これらのモジュールは、示されたように、各ユーザおよび／またはストリームに対して実現されてもよく、あるいは、モジュールは、図示されているものよりも、より少なくてもよい。いくつかの態様では、示されているように、類似した名前でラベル付けされている１つ以上のモジュールを組み合わせて、共通のモジュールに、例えば、可変のパラメータを持つ共通のモジュール、または、異なるフォーマットのビットを受け入れられるように構成されている共通モジュールにしてもよい。
【０１３１】
図１５は、システム１００内で使用するためのワイヤレスノード１５００の態様を図示している。例えば、ワイヤレスノード１４００から送信されたような情報を受信するために、ワイヤレスノード１５００を使用してもよい。例えば、ワイヤレスノード１５００は、図１または図２中で図示されているユーザ端末１２０のうちのいずれのものであってもよい。このような態様では、ＡＰからのマッピングされたシンボルを使用して送信された情報を受信するために、ワイヤレスノード１５００を使用してもよい。同様に、ワイヤレスノード１５００は、図１または図２中で図示されているＡＰ１１０であってもよい。このような態様では、ユーザ端末１２０のうちの１つからのマッピングされたシンボルにより送信された情報を受信するために、ワイヤレスノード１５００を使用してもよい。ワイヤレスノード１５００は、図３中で図示されているワイヤレスデバイス３０２に関して記述したように実現されてもよい。
【０１３２】
図１５では、ＢＣＣモード１５１０およびＬＤＰＣモード１５２０の双方とも図示されている。しかしながら、ワイヤレスノード１５００は、両方とも有する必要はない。いくつかの態様では、ワイヤレスモード１５００は、モード１５１０、１５２０のうちの１つだけを有するように構成されている。例えば、初期のＩＥＥＥ８０２．１１通信向けに構成されているレガシーハンドセットは、ＢＣＣモード１５１０だけを備えていてもよい。
【０１３３】
ＢＣＣモード１５１０およびＬＤＰＣモード１５２０の両方とも実現しているワイヤレスノードでは、各モード１５１０、１５２０を実現するためにワイヤレスノード１５００によって、別個のハードウェアおよび／またはソフトウェアが使用されてもよく、あるいは、共通のハードウェアおよび／またはソフトウェアが使用されてもよい。例えば、図１５中で図示されている各ナンバリングされたモジュールは、別個のソフトウェアモジュールで、または、別個の回路を使用して実現されてもよい。他の態様では、モード１５１０および１５２０は、共有または共通モジュールまたは回路を使用して実現されてもよい。例えば、共有または共通モジュールまたは回路は、調整可能なパラメータまたは複数のモードを持っていてもよい。１つの態様では、モジュール１５１２−１５１８は、モジュール１５２２−１５２８に共通のエレメントを使用して実現される。例えば、ＢＣＣモード１５１０で動作しているとき、ワイヤレスノード１５００は、トーンデインターリーバ機能１５２３を非アクティブ化して、デインターリーバ１５１７をアクティブ化する。例えば、ＬＤＰＣモード１５２０で動作しているとき、ワイヤレスノード１５００は、トーンデインターリーバ機能１５２３をアクティブ化するが、デインターリーバ１５１７を非アクティブ化する。
【０１３４】
ＢＣＣモード１５１０では、ワイヤレスノード１５００は、例えば、ＯＦＤＭシンボル中でトーンを通して、周波数領域中で受信した変調シンボルを出力するための、ＦＦＴモジュール１５１２を備えていてもよい。シンボルは、受信モジュールを、例えば、図１２中で図示されている受信モジュール１２０２を使用して受信されてもよい。いくつかの態様では、ＦＦＴモジュール１５１２ａおよび１５１２ｂそれぞれは、それぞれのシンボルを出力する。いくつかの態様では、シンボルが受け取られる各空間ストリームに対するＦＦＴモジュールが存在する。例えば、シンボルは、ワイヤレスノード１４００によって送信される空間ストリームに対応していてもよい。いくつかの態様では、ＦＦＴモジュール１５１２は、図２中で図示されている、ＲＸデータプロセッサ２７０または２４２、あるいは制御装置２３０または２８０を使用して実現されてもよい。さらに、ＦＦＴモジュール１５１２は、図３中で図示されている、プロセッサ３０４またはＤＳＰ３２０を使用して実現されてもよい。いくつかの態様では、ＦＦＴモジュール１５１２は、受信モジュール１２０２を使用して実現される。
【０１３５】
ワイヤレスノード１５００は、処理するために、変調シンボルを１つ以上のストリームに分離させるための、空間デマッピングモジュール１５１４をさらに備えていてもよい。ストリームデマッピングモジュール１５１４によってデマッピングされたストリームは、いくつかの態様では、論理空間ストリーム（例えば、ワイヤレスノード１４００においてパーズされる論理空間ストリーム）に対応していてもよい。図示されている態様では、空間デマッピングモジュール１５１４が、シンボルを２つの別個のストリームに分ける。いくつかの態様では、空間デマッピングモジュール１５１４は省略されており、シンボルの単一ストリームは、スライサ１５１６に渡される。他の態様では、空間デマッピングモジュール１５１４は、ストリームを１つだけ処理するであろうことを決定する。いくつかの態様では、空間デマッピングモジュール１５１４が、シンボルを、２つよりも多いストリームに分けてもよい。いくつかの態様では、８個までのストリームが、ワイヤレスノード１５００において同時に処理されてもよい。いくつかの態様において、ワイヤレスノード１５００では、アンテナよりもストリームは少なく、または、ストリームおよびアンテナの数は等しい。いくつかの態様では、空間デマッピングモジュール１５１４は、図２中で図示されている、ＲＸデータプロセッサ２７０または２４２、あるいは制御装置２３０または２８０を使用して実現されてもよい。さらに、空間デマッピングモジュール１５１４は、図３中で図示されている、プロセッサ３０４またはＤＳＰ３２０を使用して実現されてもよい。
【０１３６】
スライサ１５１６は、もっとも近い理想的な配列ポイントにストリーム中のシンボルを量子化して、送信されたシンボルの推定値として使用してもよい。したがって、スライサ１５１６は、受け取ったシンボルをビットストリームに復調してもよい。いくつかの態様では、スライサ１５１６ａおよび１５１６ｂそれぞれは、それぞれのストリーム中でシンボルを復調する。いくつかの態様では、スライサ１５１６は、図１２に関して上述した復調器１２０６と同様に構成され、または、図１２に関して上述した復調器１２０６を使用して実現される。
【０１３７】
デインターリーバ１５１７は、受け取ったシンボルにビットをデインターリーブするように構成されていてもよい。例えば、図１４に関して上述したインターリーバ１４１５によってインターリーブされる前のビットの順序と同一である順序で、または、この順序に近似する順序で、ビットが出力されるように、デインターリーバ１５１７はビットを再構成してもよい。いくつかの態様では、デインターリーバ１５１７ａおよび１５１７ｂそれぞれは、それぞれのストリームに関係付けられているビットをデインターリーブする。デインターリーバ１５１７は、図２中で図示されている、ＲＸデータプロセッサ２７０または２４２、あるいは制御装置２３０または２８０を使用して実現されてもよい。さらに、デインターリーバ１５１７は、図３中で図示されている、プロセッサ３０４またはＤＳＰ３２０を使用して実現されてもよい。
【０１３８】
ワイヤレスノード１５００は、デコーディングするために、それぞれのストリームを合成して、合成したビットストリームにするためのストリームデパーサ１５１８を付加的に備えていてもよい。ストリームデパーサ１５１８は、例えば、ストリームパーサ１４１４によって実行されるビットのパージングを逆にしてもよい。ストリームデパーサ１５１８は、図２中で図示されている、ＲＸデータプロセッサ２７０または２４２、あるいは制御装置２３０または２８０を使用して実現されてもよい。さらに、ストリームデパーサ１５１８は、図３中で図示されている、プロセッサ３０４またはＤＳＰ３２０を使用して実現されてもよい。
【０１３９】
ワイヤレスノード１５００は、合成したストリーム中でビットをデコードするためのデコーダ１５１９も備えていてもよい。１つの態様では、デコーダ１５１９は、ワイヤレスノード１４００によって送信されたデータを表す、ビットストリームを出力する。例えば、ビットは、ワイヤレスノード１４００においてビットストリームをエンコードするために使用されたＦＥＣコードに基づいてデコードされてもよい。図１５中で図示されている態様では、デコーダ１５１９は、ＢＣＣコードに基づいてビットをデコードするように構成されているＢＣＣデコーダを備えている。いくつかの態様では、デコーダ１５１９は、図２中で図示されている、ＲＸデータプロセッサ２７０または２４２、あるいは制御装置２３０または２８０を使用して実現されてもよい。さらに、デコーダ１５１９は、図３中で図示されている、プロセッサ３０４またはＤＳＰ３２０を使用して実現されてもよい。
【０１４０】
ＬＤＰＣモード１５２０では，ワイヤレスノード１５００は、周波数領域中で、受信した変調シンボルを出力するためのＦＦＴモジュール１５２２を備えていてもよい。いくつかの態様では、ＦＦＴモジュール１５２２ａおよび１５２２ｂそれぞれは、それぞれのシンボルを出力する。ＦＦＴモジュール１５２２は、ＦＦＴモジュール１５２２がトーンデインターリーバ機能１５２３を備えていることを除いて、ＦＦＴモジュール１５１２と同様に構成されていてもよい。トーンデインターリーバ機能１５２３は、コードワードに関係付けられていて、物理トーンの順列されたセットを通して受け取られたシンボルを、そのコードワードに対する論理トーンのオリジナルの構成になるように配置するように構成されていてもよい。例えば、トーンデインターリーバ機能１５２３は、トーンインターリーバ１４２７によって実行されるトーンインターリービングを逆にしてもよい。いくつかの態様では、ワイヤレスノード１４００によって実行されるトーンインターリービングは、トーンデインターリーバ機能１５２３によってアプリオリに知られている。他の態様では、インターリービングを示している情報は、ワイヤレスノード１５００において受け取られてもよい。この情報は、制御チャネルを通して送信されてもよく、または、例えば、シンボルのうちの１つ以上を持つパケット中に備えられていてもよい。
【０１４１】
いくつかの態様では、ワイヤレスノード１５００は、データトーンを処理するのを開始する前に、最初にすべてのパイロットトーンを受信する。データトーンに関係付けられている情報は、すべてのパイロットトーンがＦＦＴモジュール１５２２によって出力されるまで、メモリ、例えば、メモリ２３２または２８２または３０６中に記憶されていてもよい。デインターリーバ機能１５２３は、インターリーブされたまたは順列された順序でメモリから読み出してもよい。この方法では、ＦＦＴモジュール１５１２によるシンボル処理と比較したとき、ＦＦＴモジュール１５２２におけるシンボルの受信に投入される追加の待ち時間はない。
【０１４２】
トーンデインターリーバ機能１５２３は、ＦＦＴモジュール１５２２から分離して実現されてもよく、または、ＦＦＴモジュール１５２２に不可欠であってもよい。いくつかの態様では、ＦＦＴモジュール１５２２は、異なるモードを、例えば、トーンデインターリーバ機能１５２３を実現するモード、および、トーンデインターリーバ機能１５２３が実現されないモードを持っていてもよい。したがって、共通のＦＦＴモジュールは、ＦＦＴモジュールのモードまたは機能を調整することによって、ＢＣＣモード１５１０およびＬＤＰＣモード１５２０の両方で使用されてもよい。
【０１４３】
いくつかの態様では、ＦＦＴモジュール１５２２および／またはトーンデインターリーバ機能１５２３は、デインターリーバ１２０４の一部分またはすべてを実現してもよい。ＦＦＴモジュール１５２２および／またはトーンデインターリーバ機能１５２３は、図２中で図示されている、ＲＸデータプロセッサ２７０または２４２、あるいは制御装置２３０または２８０を使用して実現されてもよい。さらに、ＦＦＴモジュール１５２２および／またはトーンデインターリーバ機能１５２３は、図３中で図示されている、プロセッサ３０４またはＤＳＰ３２０を使用して実現されてもよい。
【０１４４】
ワイヤレスノード１５００は、処理のために、デインターリーブされたトーンからの変調シンボルを、１つ以上のストリームに分離させるための、ストリームデマッピングモジュール１５２４をさらに備えていてもよい。ストリームデマッピングモジュール１５２４によってデマッピングされたストリームは、いくつかの態様では、論理空間ストリーム（例えば、ワイヤレスノード１４００においてパーズされた論理空間ストリーム）に対応していてもよい。ストリームデマッピングモジュール１５２４は、ストリームデマッピングモジュール１５１４と同様に構成されていてもよい。
【０１４５】
ワイヤレスノード１５００は、送信されたシンボルの推定値として使用するために、ストリーム中のシンボルを、もっとも近い理想の配列ポイントに量子化するためのスライサ１５２６を付加的に備えていてもよい。スライサ１５２６は、受け取ったシンボルを、１つ以上のコードワードに関係付けられているビットに復調してもよい。いくつかの態様では、スライサ１５２６ａおよび１５２６ｂそれぞれは、それぞれのストリーム中でシンボルを復調する。いくつかの態様では、スライサ１５１６は、図１２に関して上述した復調器１２０６と同様に構成されており、または、図１２に関して上述した復調器１２０６を使用して実現される。
【０１４６】
ワイヤレスノード１５００は、デコードするために、１つ以上のコードワードに関係付けられているビットを合成するための、ストリームデパーサ１５２８も具備していてもよい。ストリームデパーサ１５２８は、例えば、ストリームパーサ１４２４によって実行される、ビットのパージングを逆にしてもよい。ストリームデパーサ１５２８は、図２中で図示されている、ＲＸデータプロセッサ２７０または２４２、あるいは制御装置２３０または２８０を使用して実現されてもよい。さらに、ストリームデパーサ１５２８は、図３中で図示されている、プロセッサ３０４またはＤＳＰ３２０を使用して実現されてもよい。
【０１４７】
ワイヤレスノード１５００は、１つ以上のコードワードに関係付けられているビットをデコードして、デコードされたビットにするための、デコーダ１５２９をさらに備えていてもよい。１つの態様では、デコーダ１５２９は、ワイヤレスノード１４００によって送信されたデータを表す、ビットストリームを出力する。例えば、ビットは、ワイヤレスノード１４００においてビットストリームをエンコードするために使用されたＦＥＣコードに基づいてデコードされてもよい。図１５中で図示されている態様では、デコーダ１５２９は、ＬＤＰＣコードに基づいてビットをデコードするように構成されているＬＤＰＣデコーダを含む。いくつかの態様では、デコーダ１５２９は、図１４に関して上述したデコード１２０８と同様に構成され、または、図１４に関して上述したデコード１２０８を使用して実現される。
【０１４８】
図１５中で図示されているモジュールのうちのいくつかは、“ａ”または“ｂ”の添え字を持つ参照数字でラベル付けされている。いくつかの態様では、“ａ”および“ｂ”モジュールの代わりに、単一のモジュールをワイヤレスノード１５００中で実現してもよい。他の態様では、付加的なモジュールが実現される。例えば、各空間ストリームに対するモジュールが実現されてもよい。あるモードで受信された空間ストリームが２つ以上であるとき、“ａ”および“ｂ”モジュールに加えたモジュールが含まれていてもよい。さらに、図１５中で図示されているモジュールのうちのいくつかは、類似した名前でラベル付けされている。これらのモジュールは、示されているように、ストリームおよび／またはモードごとに実現されてもよく、あるいは、モジュールは、図示されているものよりもより少なくてもよい。いくつかの態様では、類似した名前でラベル付けされている１つ以上のモジュールを組み合わせて、共通のモジュールに、例えば、変数パラメータを持つ共通のモジュール、または、異なるフォーマットの、シンボルまたはビットを受け入れるように構成されている共通のモジュールにしてもよい。
【０１４９】
図１６は、システム１００内で使用するためのワイヤレスノード１６００の態様を図示している。例えば、ワイヤレスノード１４００から送信されたような、情報を受信するために、ワイヤレスノード１６００を使用してもよい。例えば、ワイヤレスノード１６００は、図１または図２中で図示されている、ユーザ端末１２０のうちのいずれのものであってもよい。このような態様では、ＡＰ１１０からのマッピングされたシンボルを使用して送信された情報を受信するために、ワイヤレスノード１５００を使用してもよい。同様に、ワイヤレスノード１６００は、図１または図２中で図示されているＡＰ１１０であってもよい。このような態様では、ユーザ端末１２０のうちの１つからのマッピングされたシンボルとともに情報を受信するために、ワイヤレスノード１６００を使用してもよい。ワイヤレスノード１６００は、図３中で図示されているワイヤレスデバイス３０２に関して上述したように実現されてもよい。
【０１５０】
図１６では、図１５に関して上述したＢＣＣモード１６１０およびＬＤＰＣモード１５２０の両方を図示している。図示されている態様では、ワイヤレスノード１６００は、複雑性を減少させるために、いくつかの共有エレメントにより、ＢＣＣモード１６１０およびＬＤＰＣモード１５２０の両方とも実現してもよい。図１６中で示されている構成を使用して、ワイヤレスノードは、ＢＣＣエンコーダによりエンコードされて、トーンインターリービングのために処理されなかった通信とともに、追加の待ち時間を経験することなく、ＬＤＰＣエンコーダによりエンコードされて、トーンをインターリーブするように処理された通信も受信してもよい。
【０１５１】
図１６中で図示されている態様では、ＢＣＣモード１６１０およびＬＤＰＣモード１５２０について、別個のエレメントを示している。しかしながら、共通のハードウェアおよび／またはソフトウェアを使用してもよい。例えば、図１６中で同じ番号でラベル付けされているモジュールは、同じエレメントを構成していてもよい。同様に、ストリームデパーサ１５１８およびストリームデパーサ１５２８は、同じエレメントを構成していてもよい。したがって、いくつかの態様では、同じエレメントは、ＢＣＣモード１６１０およびＬＤＰＣモード１５２０の両方とも実現する。しかしながら、ＢＣＣモードでは、デインターリーバ１６１２がアクティブ化されてもよい一方で、ＬＤＰＣモードでは、デインターリーバ１６１２が非アクティブ化されてもよい。
【０１５２】
ＢＣＣモード１６１０では、ワイヤレスノード１６００は、デインターリーバ１６１２までＬＤＰＣモード１５２０で変調シンボルを処理する方法に類似して、受信した変調シンボルを処理してもよい。例えば、周波数領域中で受信した変調シンボルは、ＦＦＴモジュール１５２２によって出力され、トーンデインターリーバ機能１５２３によるトーンデインターリービングのために処理され、ストリームデマッピングモジュール１５２４によってストリームに分離され、スライサ１５２６によって配列ポイントに量子化されてもよい。
【０１５３】
図１６中で見ることができるように、トーンデインターリービングは、たとえ、トーンが、送信される前にインターリービングされなかったとしても、ＢＣＣモード１６１０でトーンデインターリービング機能１５２３によって実行される。したがって、ＦＦＴモジュール１５２２およびトーンデインターリービング機能１５２３によって出力されるシンボルは、順列された順序で、または、インターリーブされた順序で出力されるだろう。
【０１５４】
インターリーブされたトーンに対応しているシンボルが、スライサ１５２６によって配列ポイントに量子化された後、デインターリーバ１６１２が、トーンをデインターリーブする。したがって、トーンは、トーンが受信された順序に戻されるだろう。さらに、デインターリーバ１６１２が、受信したシンボル中でビットをデインターリーブする。ビットのデインターリービングは、ＢＣＣモード１５１０で、図１５中で図示されているデインターリーバ１５１７によって実行されるデインターリービングに類似して実行される。トーンのデインターリービングおよびビットのデインターリービングは、別個に実行されてもよい。例えば、シンボルの論理トーンがオリジナルの順序で置かれ、結果的に生じる順序付けされたビットがデインターリーバ１５１７に関して上述したようにデインターリーブされるように、シンボルに対応するビットのグループを最初にデインターリーブしてもよい。他の態様では、トーンのデインターリービングおよびビットのデインターリービングは、同じ動作により、または、実質的に同時に実行される。例えば、デインターリーバ１６１２は、先に説明したように、ビットをテーブル中に書き込み、その後、異なる順序で、そのビットをテーブルから読み取ってもよく、または、ビットの順序を数学的に決定してもよい。しかしながら、デインターリーバ１６１２は、ビットがデインターリーブされたトーンおよびビットの順序で出力されるように、ビットをテーブル中に書き込んでもよく、または、ビットをテーブルから読み取ってもよい。同様に、順序は、この方法で数学的に決定されてもよい。
【０１５５】
いくつかの態様では、デインターリーバ１６１２ａおよび１６１２ｂそれぞれは、トーンと、それぞれのストリームに関係付けられているビットとをデインターリーブする。デインターリーバ１６１２は、図２中で図示されている、ＲＸデータプロセッサ２７０または２４２、あるいは制御装置２３０または２８０中で実現されてもよい。さらに、デインターリーバ１６１２は、図３中で図示されている、プロセッサ３０４またはＤＳＰ３２０を使用して実現されてもよい。
【０１５６】
デインターリーバ１６１２から出力されたそれぞれのストリームのビットを合成して、ストリームデパーサ１５１８によってデコードするための、合成されたビットストリームにする。合成されたストリームは、その後、デコーダ１５１９によってデコードされる。ストリームデパーサ１５１８およびデコーダ１５１９は、図１５に関して上述され、上述したのと同じ方法で動作する。
【０１５７】
先に説明したように、ＦＦＴモジュール１５２２およびトーンデインターリーバ機能１５２３は、ＢＣＣモード１５１０での、ＦＦＴモジュール１５１２における、信号処理と比較して、追加の待ち時間を生じさせずに、ＢＣＣモード１６１０でトーンをデインターリーブしてもよい。さらに、ＢＣＣモード１５１０およびＢＣＣモード１６１０の両方とも、シンボルの処理では類似した位置において、デインターリーバ（すなわち、デインターリーバ１５１７およびデインターリーバ１６１２）を備える。例えば、デインターリーブ１６１２がトーンおよびビットを実質的に同時にデインターリーブするように構成されているとき、デインターリーバ１６１２は、デインターリーブ１５１７によるビットのデインターリービングと比較して、待ち時間はほとんどなく、または、追加の待ち時間なく、トーンおよびビットをデインターリーブするように構成されている。したがって、受信した変調シンボルは、ワイヤレスノード１５００による、ＢＣＣモード１５１０での、受信したシンボルの処理と比較して過剰な遅延なく、ワイヤレスノード１６００によってＢＣＣモード１６１０で処理されてもよい。
【０１５８】
図１６中で図示されている態様では、ＢＣＣモード１６１０およびＬＤＰＣモード１５２０は、デインターリーバ１６１２およびデコーダモジュールを除いて、同じモジュールを使用して実現されてもよい。したがって、ＢＣＣモード１６１０でのシンボル処理と、ＬＤＰＣモード１５２０でのシンボル処理とを切り替えるとき、デインターリーバ１６１２だけを非アクティブにしてもよく、デコーダは切り替えられてもよい。いくつかの態様では、デインターリーバは依然として使用されるが、デインターリーバが、トーンまたはビットのインターリービングを何ら実行しないことを通して、ビットを渡すように、デインターリーバ１６１２のモードを変更する。同様に、ＬＤＰＣモード１５２０からＢＣＣモード１６１０に切り替えるときには、デインターリーバ１６１２だけをアクティブ化してもよく、または、モードを切り替えさせてもよく、デコーダは切り替えられてもよい。
【０１５９】
これに対して、ＢＣＣモード１５１０およびＬＤＰＣモード１５２０を実現するために、同じモジュールの大部分を使用するときに、ワイヤレスノード１５００において、ＢＣＣモード１５１０とＬＤＰＣモード１５２０を切り替えるときには、トーンデインターリーバ機能１５２３およびデインターリーバ１５１７の両方が、アクティブ化されるかまたは非アクティブ化されてもよい。デインターリーバ１６１２のモードを変更すること、または、デインターリーバ１６１２のモードを選択的にアクティブ化／非アクティブ化することは、いくつかのインプリメンテーションまたは態様では、トーンデインターリーバ機能１５２３およびデインターリーバ１５１７の両方のモードを変更する、または、トーンデインターリーバ機能１５２３およびデインターリーバ１５１７の両方のモードを選択的にアクティブ化／非アクティブ化することよりも、より単純であってもよく、または、集約的な処理であってもよい。さらに、いくつかの態様またはインプリメンテーションでは、デインターリーバ１６１２のようなデインターリーバのモードを変更することは、トーンデインターリーバ機能を備えるＦＦＴモジュールのモードを変更するよりも、より早くおよび／またはより単純であってもよい。
【０１６０】
当業者は、送信のためにシンボルの物理トーンをインターリーブするワイヤレスノードが、このようなインターリーブを実行しないワイヤレスノードと比較して、何ら追加の待ち時間なく動作されてもよいことを正しく認識するだろう。さらに、したがって、インターリーブされたトーンを持つシンボルを受信および処理するワイヤレスノードは、インターリーブされたトーンを持たないシンボルを受信および処理するワイヤレスノードと比較して、追加の待ち時間なく動作されてもよい。加えて、インターリーブされたトーンに対応する機能とインターリーブされなかったトーンに対応する機能を切り替えるワイヤレスノードは、このような機能間で切り替えないワイヤレスノードと比較して、追加の待ち時間なく動作されてもよい。
【０１６１】
図１６中で図示されているモジュールのうちのいくつかは、“ａ”または“ｂ”添え字を持つ参照数字でラベル付けされている。いくつかの態様において、ワイヤレスノード１６００では、“ａ”および“ｂ”モジュールの代わりに単一のモジュールが実現される。他の態様では、付加的なモジュールが実現される。例えば、各空間ストリームに対するモジュールが実現されてもよい。あるモードで受信された空間ストリームが２つよりも多いとき、“ａ”および“ｂ”モジュールに加えたモジュールが備えられていてもよい。さらに、図１６中で図示されているモジュールのうちのいくつかは、類似した名前でラベル付けされている。これらのモジュールは、示されているように、各ストリームおよび／またはモードに対して実現されてもよく、あるいは、図示されているよりもモジュールはより少ない。いくつかの態様では、類似した名前でラベル付けされている１つ以上のモジュールを組み合わせて、共通のモジュールに、例えば、変数パラメータを持つ共通のモジュール、または、異なるフォーマットのシンボルまたはビットを受け入れるように構成されている共通のモジュールにしてもよい。
【０１６２】
ソフトウェアまたはハードウェアのいずれか、あるいは、両方を含んでいてもよい、様々な回路、チップ、モジュール、および／またはコンポーネントが、ワイヤレスノード４００、１２００、１４００、１５００、および１６００に関して上述したモジュールを実現するために使用されてもよいことを、当業者は正しく認識するだろう。ワイヤレスノード４００、１２００のうちの１つ以上は、図３中で図示されているプロセッサ３０４中で、部分的にまたは全体的に実現されてもよい。
【０１６３】
別個に記述したものの、ワイヤレスノード４００、１２００、１４００、１５００、および１６００に関して記述した機能ブロックは、構造エレメントに分離させる必要がないことを正しく認識すべきである。同様に、機能ブロックの１つ以上または様々なブロックの機能の一部は、単一のチップ中で具現化されてもよい。代替的に、特定のブロックの機能は、２つ以上のチップ上で実現されてもよい。付加的に、付加的なモジュールまたは機能は、ワイヤレスノード４００、１２００、１４００、１５００、および１６００中で実現されてもよい。同様に、より少ないモジュールまたは機能は、ワイヤレスノード４００、１２００、１４００、１５００、および１６００中で実現されてもよく、ワイヤレスノード４００、１２００、１４００、１５００、および／または１６００のコンポーネントは、複数の構成のうちの任意のもので配置してもよい。図４、１２、および１４−１６中で図示されているさまざまなモジュール間で、または、付加的なモジュール間で、付加的な、または、より少ない結合が実現されてもよい。
【０１６４】
上述した方法の様々な動作は、対応する機能を実行できる何らかの適した手段によって実行されてもよい。手段は、回路、特定用途集積回路（ＡＳＩＣ）、またはプロセッサを含むが、これらに限定されない、様々なハードウェアおよび／またはソフトウェアコンポーネントおよび／またはモジュールを含んでいてもよい。一般的に、図面中で図示した、動作、モジュール、またはステップが存在する場合、これらの動作は、類似したナンバリングと、対応する同等のミーンズプラスファンクションコンポーネントを有していてもよい。例えば、図１１中で図示されている動作１１００は、図１１Ａ中で図示されている手段１１００Ａに対応している。
【０１６５】
例えば、ワイヤレスノードは、ビットをエンコードする手段と、複数のビットを複数の変調シンボルにマッピングする手段と、複数の変調シンボルのそれぞれを、トーンと空間ストリームとにマッピングする手段と、マッピングされた変調シンボルを送信する手段とを具備していてもよい。このようなワイヤレスノードにおける手段コンポーネントは、一般的に、図１１中で図示されている動作１１００に対応する。別の例として、ワイヤレスノードは、トーンおよび空間ストリームにわたって、複数のコードワードに関係付けられているビットに対応する複数の変調シンボルを受信する手段と、コードワードに対して受け取ったシンボルを、コードワードのオリジナルの順序になるように配置する手段と、ビットをデコードする手段とを具備していてもよい。このようなワイヤレスノードにおける手段コンポーネントは、一般的に、図１３中で図示されている動作１３００に対応する。
【０１６６】
いくつかの態様では、送信する手段は、送信モジュール４０８によって実現されてもよい。送信する手段は、送信モジュール４０８に関して上述したような、送信機と、少なくとも１つのアンテナとを含んでいてもよい。
【０１６７】
いくつかの態様では、受信する手段は、受信モジュール１２０２によって実現されてもよい。受信する手段は、受信モジュール１２０２に関して上述したように、受信機と少なくとも１つのアンテナとを含んでいてもよい。
【０１６８】
いくつかの態様では、マッピングする手段、エンコードする手段、デコードする手段、および／または配置する手段は、図４、１２、および１４−１６中で図示されているモジュールのうちの１つ以上によって実現されてもよい。例えば、マッピングする手段、エンコードする手段、デコードする手段、および／または配置する手段は、図４および１２中で図示されているモジュールに関して上述したような、処理システム、制御装置、ＲＸデータプロセッサ、および／またはＴＸスケジューラによって実現されてもよい。例えば、このような手段は、マイクロプロプロセッサ、マイクロ制御装置、ＤＳＰ、ＦＰＧＡ、ＰＬＤ、あるいは他のハードウェアまたはソフトウェアコンポーネントを使用して実現されてもよい。いくつかの態様では、マッピングする手段および／または配置する手段は、ＦＦＴまたはＩＦＦＴモジュール中で実現される。
【０１６９】
ここで使用したような、“決定する”という用語は、幅広い様々なアクションを含んでいる。例えば、“決定すること”は、計算すること、コンピュータ計算すること、処理すること、導出すること、調査すること、調べること（例えば、テーブル、データベースまたは別のデータ構造をルックアップすること）、アサートすること、および、これらに類するものを含んでいてもよい。また、“決定すること”は、受信すること（例えば、情報を受信すること）、アクセスすること（例えば、メモリ中のデータにアクセスすること）、および、これらに類するものを含んでいてもよい。また、“決定すること”は、解決すること、選択すること、選ぶこと、確立すること、および、これらに類するものを含んでいてもよい。
【０１７０】
ここで使用したような、アイテムのリスト“のうちの少なくとも１つ”を指すフレーズは、単一のメンバーを含む、これらのアイテムの何らかの組み合わせのことを指す。例として、ａ、ｂ、またはｃのうちの“少なくとも１つ”は、ａ、ｂ、ｃ、ａ−ｂ、ａ−ｃ、ｂ−ｃ、およびａ−ｂ−ｃをカバーすることを意図する。
【０１７１】
本開示に関連して記述した、様々な例示的な論理的ブロック、モジュール、および回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス（ＰＬＤ）、ディスクリートゲートまたはトランジスタ論理、ディスクリートハードウェアコンポーネント、あるいは、ここで記述した機能を実行するために設計されているこれらの何らかの組み合わせで、実現あるいは実行されてもよい。汎用プロセッサはマイクロプロセッサであってもよいが、代替実施形態では、プロセッサは、何らかの商業的に入手可能なプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアを伴う１つ以上のマイクロプロセッサ、または、他の何らかのこのような構成のような、コンピューティングデバイスの組み合わせとして、実現されてもよい。
【０１７２】
本開示に関連して記述した方法またはアルゴリズムのステップは、直接的にハードウェアで、プロセッサによって実行されるソフトウェアモジュールで、あるいは、２つの組み合わせで具現化されてもよい。ソフトウェアモジュールは、技術的に知られている何らかの形態の記憶媒体中に存在していてもよい。使用してもよい記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令または多くの命令を含んでいてもよく、いくつかの異なるコードセグメントを通して、異なるプログラム間で、および、複数の記憶媒体にわたって、分散されてもよい。記憶媒体は、プロセッサが記憶媒体から情報を読み取り、記憶媒体に情報を書き込むことができるように、プロセッサに結合させてもよい。代替実施形態では、記憶媒体はプロセッサに一体化していてもよい。
【０１７３】
ここで開示した方法は、記述した方法を達成するための１つ以上のステップまたはアクションを含む。方法のステップおよび／またはアクションは、特許請求の範囲から逸脱することなく、互いに交換可能であってもよい。言い換えると、ステップまたはアクションの特定の順序が特定されていない限り、特定のステップおよび／またはアクションの順序および／または使用は、特許請求の範囲から逸脱することなく、修正されてもよい。
【０１７４】
記述した機能は、ハードウェアで、ソフトウェアで、ファームウェアで、または、これらの何らかの組み合わせで実現されてもよい。ハードウェアで実現された場合、ハードウェアコンフィギュレーションの例は、ワイヤレスノード中の処理システムを含んでもよい。処理システムは、バスアーキテクチャにより実現されてもよい。バスは、処理システムの特定の適用および設計全体の制約に依存して、任意の数の相互接続するバスおよびブリッジを含んでいてもよい。バスは、プロセッサ、機械読み取り可能媒体、および、バスインターフェースを含む様々な回路を共にリンクしてもよい。バスを通して、数ある中で処理システムにネットワークアダプタを接続するために、バスインターフェースを使用してもよい。ＰＨＹレイヤの信号処理機能を実現するために、ネットワークアダプタを使用してもよい。ユーザ端末１２０のケースでは（図１参照）、ユーザインターフェース（例えば、キーパッド、ディスプレイ、マウス、ジョイスティック等）もまた、バスに接続されてもよい。バスは、タイミングソース、周辺機器、電圧レギュレータ、電力管理回路、および、これらに類するもののような、他の様々な回路もリンクしてもよいが、これらは技術的によく知られているので、これ以上記述しない。
【０１７５】
プロセッサは、バスの管理と、機械読み取り可能媒体上に記憶されているソフトウェアの実行を含む汎用処理とを担っている。プロセッサは、１つ以上の汎用プロセッサおよび／または特殊目的プロセッサにより実現されてもよい。例は、マイクロプロセッサ、マイクロ制御装置、ＤＳＰプロセッサ、および、ソフトウェアを実行できる他の回路を含む。ソフトウェア、ファームウェア、ミドルウェア、マイクロコード、ハードウェア記述言語、または、その他のものと呼ばれるか否かにかかわらず、ソフトウェアは、命令、データ、または、これらの何らかの組み合わせを意味するように広く解釈すべきである。機械読み取り可能媒体は、一例として、ＲＡＭ（ランダムアクセスメモリ）、フラッシュメモリ、ＲＯＭ（リードオンリーメモリ）、ＰＲＯＭ（プログラム可能リードオンリーメモリ）、ＥＰＲＯＭ（消去可能プログラム可能リードオンリーメモリ）、ＥＥＰＲＯＭ（電気的に消去可能プログラム可能リードオンリーメモリ）、レジスタ、磁気ディスク、光ディスク、ハードドライブ、または、他の何らかの適した記憶媒体、あるいは、これらの何らかの組み合わせを含んでもよい。機械読み取り可能媒体は、コンピュータプログラムプロダクト中で具現化されてもよい。コンピュータプログラムプロダクトは、パッケージ材料を備えていてもよい。
【０１７６】
ハードウェアインプリメンテーションでは、機械読み取り可能媒体は、プロセッサから分離された処理システムの一部であってもよい。しかしながら、当業者が容易に正しく認識するように、機械読み取り可能媒体またはその何らかの一部は、処理システムの外部にあってもよい。例として、機械読み取り可能な媒体は、伝送回線、データによって変調された搬送波、および／またはワイヤレスノードから分離したコンピュータプロダクトを含んでいてもよいが、それらはすべて、バスインターフェースを通してプロセッサによってアクセスされてもよい。代替的に、または付加的に、機械読み取り可能媒体、またはそれの任意の部分は、キャッシュおよび／または汎用レジスタファイルを備えるケースのような、プロセッサに組み込まれてもよい。
【０１７７】
処理システムは、プロセッサ機能を提供する１つ以上のマイクロプロセッサと、機械読み取り可能媒体の少なくとも一部を提供する外部メモリとを持ち、すべてが外部バスアーキテクチャを通して他の支援回路と共にリンクされている、汎用処理システムとして構成されてもよい。代替的に、処理システムは、プロセッサと、バスインターフェースと、（アクセス端末のケースでは）ユーザインターフェースと、支援回路と、単一のチップに統合されている機械読み取り可能媒体の少なくとも一部とを備えるＡＳＩＣ（特定用途向け集積回路）によって実現されてもよく、あるいは、１つ以上のＦＰＧＡ（フィールドプログラム可能ゲートアレイ）、ＰＬＤ（プログラム可能論理デバイス）、制御装置、状態機械、ゲート論理、ディスクリートハードウェアコンポーネント、または、他の何らかの適切な回路、あるいは、本開示全体を通して記述した様々な機能を実行できる回路の何らかの組み合わせによって、実現されてもよい。当業者は、特定の応用およびシステム全体に課せられた設計全体の制約に依存して、処理システムに対する記述した機能性を実現するための最良の方法を認識するだろう。
【０１７８】
機械読み取り可能媒体は、多数のソフトウェアモジュールを含んでもよい。ソフトウェアモジュールは、プロセッサによって実行されるときに、様々な機能を処理システムに実行させる命令を含む。ソフトウェアモジュールは、送信モジュールおよび受信モジュールを含んでもよい。各ソフトウェアモジュールは、単一の記憶デバイス中に存在していてもよく、または、複数の記憶デバイスにわたって分散させてもよい。一例として、ソフトウェアモジュールは、トリガイベントが起こったときに、ハードドライブからＲＡＭにロードされてもよい。ソフトウェアモジュールの実行の間、プロセッサは、命令のうちのいくつかをキャッシュにロードして、アクセススピードを増加させてもよい。その後、１つ以上のキャッシュラインが、プロセッサによる実行のために汎用レジスタファイルにロードされてもよい。下記においてソフトウェアモジュールの機能に言及するとき、そのような機能は、そのソフトウェアモジュールからの命令を実行するときに、プロセッサによって実現されるということが理解されるであろう。
【０１７９】
ソフトウェアで実現される場合に、機能は、１つ以上の命令またはコードとして、コンピュータ読み取り可能媒体上に記憶されてもよく、あるいは、１つ以上の命令またはコードとして、コンピュータ読み取り可能媒体上に送信されてもよい。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、コンピュータによってアクセスできる利用可能な任意の媒体であってもよい。一例として、このようなコンピュータ読み取り可能な媒体は、ＲＡＭ、ＲＯＭ、ＥＥＰＲＯＭ、ＣＤ−ＲＯＭまたは他の光ディスク記憶デバイス、磁気ディスク記憶または他の磁気記憶デバイス、あるいは命令またはデータ構成の形態で所望のプログラムコードを伝送または記憶するために使用でき、コンピュータによってアクセスできる他の何らかの媒体を含むことができるが、これらに限定されない。また、任意の接続は、適切にコンピュータ読み取り可能媒体と呼ばれる。例えば、同軸ケーブル、光ファイバケーブル、ツイストペア、デジタル加入者回線（ＤＳＬ）、あるいは、赤外線（ＩＲ）、無線、および、マイクロ波のようなワイヤレス技術を使用して、ウェブサイト、サーバ、または、他の遠隔ソースから、ソフトウェアが送信される場合には、同軸ケーブル、光ファイバケーブル、ツイストペア、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。したがって、いくつかの態様では、コンピュータ読み取り可能媒体は、一時的でないコンピュータ読み取り可能媒体（例えば、有体的媒体）を含んでいてもよい。加えて、他の態様に対して、コンピュータ読み取り可能媒体は、一時的なコンピュータ読み取り可能媒体（例えば、信号）を含んでいてもよい。先のものを組み合わせたものもまた、コンピュータ読み取り可能媒体の範囲内に含められるべきである。
【０１８０】
したがって、ある態様は、ここで提示した動作を実行するためのコンピュータプログラムプロダクトを含んでいてもよい。例えば、このようなコンピュータプログラムプロダクトは、その上に命令を記憶（および／または、エンコード）させるコンピュータ読み取り可能媒体を具備してもよく、命令は、ここで記述した動作を実行するために１つ以上のプロセッサによって実行可能である。ある態様に対して、コンピュータプログラムプロダクトは、パッケージングマテリアルを含んでいてもよい。
【０１８１】
さらに、ここで記述した方法および技術を実行するモジュールおよび／または他の適切な手段を、ユーザ端末および／または基地局によって、適宜、ダウンロードできる、および／または、そうでなければ取得できることは正しく認識されるべきである。例えば、このようなデバイスは、ここで記述した方法を実行する手段の転送を促進するために、サーバに結合できる。代替的に、デバイスに記憶手段を結合するときに、または、デバイスに記憶手段を提供するときに、ユーザ端末および／または基地局が様々な方法を取得できるように、ここで記述した様々な方法は、記憶手段（例えば、ＲＡＭ、ＲＯＭ、コンパクトディスク（ＣＤ）またはフロッピーディスクのような物理記憶媒体等）を介して提供できる。さらに、ここで記述した方法および技術をデバイスに提供するための他の何らかの適切な技術を利用できる。
【０１８２】
特許請求の範囲は、先に示したまさにそのコンフィギュレーションおよびコンポーネントに限定されるものではないことを理解すべきである。様々な改良、変更およびバリエーションが、上述した方法ならびに装置の構成、動作および詳細において、特許請求の範囲から逸脱することなく行われてもよい。
【図１】
2013543326.tif 000004
【図２】
2013543326.tif 000005
【図３】
2013543326.tif 000006
【図４】
2013543326.tif 000007
【図５】
2013543326.tif 000008
【図６Ａ】
2013543326.tif 000009
【図６Ｂ】
2013543326.tif 000010
【図７Ａ】
2013543326.tif 000011
【図７Ｂ】
2013543326.tif 000012
【図８Ａ】
2013543326.tif 000013
【図８Ｂ】
2013543326.tif 000014
【図９Ａ】
2013543326.tif 000015
【図９Ｂ】
2013543326.tif 000016
【図１０Ａ】
2013543326.tif 000017
【図１０Ｂ】
2013543326.tif 000018
【図１１】
2013543326.tif 000019
【図１１Ａ】
2013543326.tif 000020
【図１２】
2013543326.tif 000021
【図１３】
2013543326.tif 000022
【図１３Ａ】
2013543326.tif 000023
【図１４】
2013543326.tif 000024
【図１５】
2013543326.tif 000025
【図１６】
2013543326.tif 000026
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
ワイヤレス通信のための装置において、
複数のビットを複数の変調シンボルにマッピングし、
前記複数の変調シンボルのそれぞれを、直交周波数分割多重化（ＯＦＤＭ）シンボルのトーンと空間ストリームとにマッピングするように構成されている処理システムと、
前記マッピングされた変調シンボルを送信するように構成されている送信機とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記ＯＦＤＭシンボルは、前記複数のトーンと前記複数の空間ストリームとを含み、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされ、
隣り合っていないトーンは、少なくとも１つのトーン分だけ別のトーンから分離したトーンであり、
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である装置。
【請求項２】
前記サブセットの前記変調シンボルは、前記複数のトーンに大体均一にマッピングされる請求項１記載の装置。
【請求項３】
前記トーンマッピング間隔Ｄは、各帯域幅に対して一定であり、異なる帯域幅に対する前記Ｄの値は、帯域幅２０ＭＨｚの場合にはＤ＝４であり、帯域幅４０ＭＨｚの場合にはＤ＝６であり、帯域幅８０ＭＨｚの場合にはＤ＝９であり、帯域幅１６０ＭＨｚ（８０＋８０ＭＨｚ）の場合にはＤ＝９である請求項１記載の装置。
【請求項４】
前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる請求項１記載の装置。
【請求項５】
低密度パリティチェック（ＬＤＰＣ）コードを使用してビットをエンコードするように構成されているエンコーダをさらに具備し、前記エンコードされたビットは、前記複数のビットを含む請求項１記載の装置。
【請求項６】
前記処理システムは、前記複数の変調シンボルの論理トーンが、前記複数の変調シンボルを送信するために使用される物理トーンに関して順列されるように、前記複数の変調シンボルのそれぞれをマッピングするように構成されており、
前記処理システムは、前記マッピングを実行するための逆高速フーリエ変換（ＩＦＦＴ）モジュールを備える請求項１記載の装置。
【請求項７】
ワイヤレス通信のための方法において、
複数のビットを複数の変調シンボルにマッピングすることと、
前記複数の変調シンボルのそれぞれを、直交周波数分割多重化（ＯＦＤＭ）シンボルのトーンと空間ストリームとにマッピングすることと、
前記マッピングされた変調シンボルを送信することとを含み、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記ＯＦＤＭシンボルは、前記複数のトーンと前記複数の空間ストリームとを含み、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている前記サブセットの前記変調シンボルは、前記複数のトーン中の隣り合っていないトーンにマッピングされ、隣り合っていないトーンは、少なくとも１つのトーン分だけ別のトーンから分離したトーンであり、
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である方法。
【請求項８】
前記サブセットの前記変調シンボルは、前記複数のトーンに大体均一にマッピングされる請求項７記載の方法。
【請求項９】
前記トーンマッピング間隔Ｄは、各帯域幅に対して一定であり、異なる帯域幅に対する前記Ｄの値は、帯域幅２０ＭＨｚの場合にはＤ＝４であり、帯域幅４０ＭＨｚの場合にはＤ＝６であり、帯域幅８０ＭＨｚの場合にはＤ＝９であり、帯域幅１６０ＭＨｚ（８０＋８０ＭＨｚ）の場合にはＤ＝９である請求項７記載の方法。
【請求項１０】
前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる請求項７記載の方法。
【請求項１１】
低密度パリティチェック（ＬＤＰＣ）コードを使用してビットをエンコードすることをさらに含み、前記エンコードされたビットは、前記複数のビットを含む請求項７記載の方法。
【請求項１２】
前記複数の変調シンボルのそれぞれをマッピングすることは、前記複数の変調シンボルの論理トーンが、前記複数の変調シンボルを送信するために使用される物理トーンに関して順列されるように、前記複数の変調シンボルのそれぞれをマッピングすることを含み、
前記マッピングは、逆高速フーリエ変換（ＩＦＦＴ）モジュールによって実行される請求項７記載の方法。
【請求項１３】
ワイヤレス通信のための装置において、
複数のビットを複数の変調シンボルにマッピングする手段と、
前記複数の変調シンボルのそれぞれを、直交周波数分割多重化（ＯＦＤＭ）シンボルのトーンと空間ストリームとにマッピングする手段と、
前記マッピングされた変調シンボルを送信する手段とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記ＯＦＤＭシンボルは、前記複数のトーンと前記複数の空間ストリームとを含み、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされ、隣り合っていないトーンは、少なくとも１つのトーン分だけ別のトーンから分離したトーンであり、
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である装置。
【請求項１４】
前記サブセットの前記変調シンボルは、前記複数のトーンに大体均一にマッピングされる請求項１３記載の装置。
【請求項１５】
前記トーンマッピング間隔Ｄは、各帯域幅に対して一定であり、異なる帯域幅に対する前記Ｄの値は、帯域幅２０ＭＨｚの場合にはＤ＝４であり、帯域幅４０ＭＨｚの場合にはＤ＝６であり、帯域幅８０ＭＨｚの場合にはＤ＝９であり、帯域幅１６０ＭＨｚ（８０＋８０ＭＨｚ）の場合にはＤ＝９である請求項１記載の装置。
【請求項１６】
前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる請求項１９記載の装置。
【請求項１７】
低密度パリティチェック（ＬＤＰＣ）コードを使用してビットをエンコードする手段をさらに具備し、前記エンコードされたビットは、前記複数のビットを含む請求項１３記載の装置。
【請求項１８】
前記複数の変調シンボルのそれぞれをマッピングする手段は、前記複数の変調シンボルの論理トーンが、前記複数の変調シンボルを送信するために使用される物理トーンに関して順列されるように、前記複数の変調シンボルのそれぞれをマッピングするように構成されており、
前記複数の変調シンボルのそれぞれをマッピングする手段は、マッピングを実行するための逆高速フーリエ変換（ＩＦＦＴ）モジュールを備える請求項１３記載の装置。
【請求項１９】
ワイヤレス通信のためのコンピュータプログラムプロダクトにおいて、
実行されるときに、装置に、
複数のビットを複数の変調シンボルにマッピングさせる命令と、
前記複数の変調シンボルのそれぞれを、直交周波数分割多重化（ＯＦＤＭ）シンボルのトーンと空間ストリームとにマッピングさせる命令と、
前記マッピングされた変調シンボルを送信させる命令とを含む、コンピュータ読み取り可能媒体を具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記ＯＦＤＭシンボルは、前記複数のトーンと前記複数の空間ストリームとを含み、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされ、隣り合っていないトーンは、少なくとも１つのトーン分だけ別のトーンから分離したトーンであり、
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数であるコンピュータプログラムプロダクト。
【請求項２０】
ワイヤレスノードにおいて、
少なくとも１つのアンテナと、
複数のビットを複数の変調シンボルにマッピングし、
前記複数の変調シンボルのそれぞれを、トーンと空間ストリームとにマッピングするように構成されている処理システムと、
前記マッピングされた変調シンボルを、前記少なくとも１つのアンテナを通して送信するように構成されている送信機とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされ、
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、
前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数であるワイヤレスノード。
【請求項２１】
ワイヤレス通信のための装置において、
直交周波数分割多重化（ＯＦＤＭ）シンボルの複数のトーンと複数の空間ストリームとを通して、複数のコードワードに関係付けられているビットに対応している複数の変調シンボルを受信するように構成されている受信機と、
前記受信した変調シンボルのサブセットを、前記複数のコードワードのうちの１つのオリジナルの順序になるように配置するように構成されているデインターリーバとを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散され、隣り合っていないトーンは、少なくとも１つのトーン分だけ別のトーンから分離したトーンであり、前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である装置。
【請求項２２】
前記トーンマッピング間隔Ｄは、各帯域幅に対して一定であり、異なる帯域幅に対する前記Ｄの値は、帯域幅２０ＭＨｚの場合にはＤ＝４であり、帯域幅４０ＭＨｚの場合にはＤ＝６であり、帯域幅８０ＭＨｚの場合にはＤ＝９であり、帯域幅１６０ＭＨｚ（８０＋８０ＭＨｚ）の場合にはＤ＝９である請求項２１記載の装置。
【請求項２３】
前記デインターリーバは、前記複数の変調シンボルが受け取られる物理トーンを順列して、前記複数の変調シンボルを複数の論理トーンになるように配置するように構成されている請求項２１記載の装置。
【請求項２４】
前記デインターリーバは、前記順列を実行するように構成されている高速フーリエ変換（ＦＦＴ）モジュールを備える請求項２３記載の装置。
【請求項２５】
ワイヤレス通信のための方法において、
直交周波数分割多重化（ＯＦＤＭ）シンボルの複数のトーンと複数の空間ストリームとを通して、複数のコードワードに関係付けられているビットに対応している複数の変調シンボルを受信することと、
前記受信した変調シンボルのサブセットを、前記複数のコードワードのうちの１つに対応しているオリジナルの順序になるように配置することとを含み、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散され、隣り合っていないトーンは、少なくとも１つのトーン分だけ別のトーンから分離したトーンであり、前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である方法。
【請求項２６】
前記トーンマッピング間隔Ｄは、各帯域幅に対して一定であり、異なる帯域幅に対する前記Ｄの値は、帯域幅２０ＭＨｚの場合にはＤ＝４であり、帯域幅４０ＭＨｚの場合にはＤ＝６であり、帯域幅８０ＭＨｚの場合にはＤ＝９であり、帯域幅１６０ＭＨｚ（８０＋８０ＭＨｚ）の場合にはＤ＝９である請求項２５記載の方法。
【請求項２７】
前記配置することは、前記複数の変調シンボルが受け取られる物理トーンを順列して、前記複数の変調シンボルを複数の論理トーンになるように配置することを含む請求項２５記載の方法。
【請求項２８】
前記順列は、高速フーリエ変換（ＦＦＴ）モジュールによって実行される請求項２７記載の方法。
【請求項２９】
ワイヤレス通信のための装置において、
直交周波数分割多重化（ＯＦＤＭ）シンボルの複数のトーンと複数の空間ストリームとを通して、複数のコードワードに関係付けられているビットに対応している複数の変調シンボルを受信する手段と、
前記受信した変調シンボルのサブセットを、前記複数のコードワードのうちの１つに対応しているオリジナルの順序になるように配置する手段とを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散され、隣り合っていないトーンは、少なくとも１つのトーン分だけ別のトーンから分離したトーンであり、前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である装置。
【請求項３０】
前記トーンマッピング間隔Ｄは、各帯域幅に対して一定であり、異なる帯域幅に対する前記Ｄの値は、帯域幅２０ＭＨｚの場合にはＤ＝４であり、帯域幅４０ＭＨｚの場合にはＤ＝６であり、帯域幅８０ＭＨｚの場合にはＤ＝９であり、帯域幅１６０ＭＨｚ（８０＋８０ＭＨｚ）の場合にはＤ＝９である請求項２９記載の装置。
【請求項３１】
前記配置する手段は、前記複数の変調シンボルが受け取られる物理トーンを順列して、前記複数の変調シンボルを複数の論理トーンになるように配置するように構成されている請求項２９記載の装置。
【請求項３２】
前記配置する手段は、前記順列を実行するように構成されている高速フーリエ変換（ＦＦＴ）モジュールを含む請求項３１記載の装置。
【請求項３３】
ワイヤレス通信のためのコンピュータプログラムプロダクトにおいて、
実行されるときに、装置に、
直交周波数分割多重化（ＯＦＤＭ）シンボルの複数のトーンと複数の空間ストリームとを通して、複数のコードワードに関係付けられているビットに対応している複数の変調シンボルを受信させる命令と、
前記受信した変調シンボルのサブセットを、前記複数のコードワードのうちの１つに対応しているオリジナルの順序になるように配置させる命令とを含む、コンピュータ読み取り可能な媒体を具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散され、隣り合っていないトーンは、少なくとも１つのトーン分だけ別のトーンから分離したトーンであり、
前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数であるコンピュータプログラムプロダクト。
【請求項３４】
ワイヤレスノードにおいて、
少なくとも１つのアンテナと、
直交周波数分割多重化（ＯＦＤＭ）シンボルの複数のトーンと複数の空間ストリームとを通して、複数のコードワードに関係付けられているビットに対応している複数の変調シンボルを、前記少なくとも１つのアンテナを通して受信するように構成されている受信機と、
前記受信した変調シンボルのサブセットを、前記複数のコードワードのうちの１つに対応しているオリジナルの順序になるように配置するように構成されているデインターリーバとを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散され、隣り合っていないトーンは、少なくとも１つのトーン分だけ別のトーンから分離したトーンであり、前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔であり、前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数であるワイヤレスノード。
【手続補正２】
【補正対象書類名】明細書
【補正対象項目名】０１８２
【補正方法】変更
【補正の内容】
【０１８２】
特許請求の範囲は、先に示したまさにそのコンフィギュレーションおよびコンポーネントに限定されるものではないことを理解すべきである。様々な改良、変更およびバリエーションが、上述した方法ならびに装置の構成、動作および詳細において、特許請求の範囲から逸脱することなく行われてもよい。
以下に、本願出願の当初の特許請求の範囲に記載された発明を付記する。
［１］ワイヤレス通信のための装置において、
複数のビットを複数の変調シンボルにマッピングし、
前記複数の変調シンボルのそれぞれを、トーンと空間ストリームとにマッピングするように構成されている処理システムと、
前記マッピングされた変調シンボルを送信するように構成されている送信機とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされる装置。
［２］前記サブセットの前記変調シンボルは、前記複数のトーンに大体均一にマッピングされる［１］記載の装置。
［３］前記処理システムは、
前記サブセット中の第１の変調シンボルを、第１のトーンと第１の空間ストリームとにマッピングすることと、
前記サブセットの第２の変調シンボルを、前記第１のトーンと第２の空間ストリームとにマッピングすることと、
前記サブセットの第３の変調シンボルを、第２のトーンと第３の空間ストリームとにマッピングすることとによって、前記複数の変調シンボルのそれぞれをマッピングするように構成されており、
前記第１のトーンと前記第２のトーンは隣り合っておらず、前記第２の変調シンボルに対応しているビットは、前記複数のコードワードのうちの１つ中の前記第１の変調シンボルに対応しているビットにすぐ後に続き、前記第３の変調シンボルに対応しているビットは、前記複数のコードワードのうちの１つ中の前記第２の変調シンボルに対応しているビットにすぐ後に続く［１］記載の装置。
［４］前記第２の空間ストリームは、前記第１の空間ストリームに隣り合っている［３］記載の装置。
［５］前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｉ or ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔である［１］記載の装置。
［６］前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である［５］記載の装置。
［７］前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる［５］記載の装置。
［８］低密度パリティチェック（ＬＤＰＣ）コードを使用してビットをエンコードするように構成されているエンコーダをさらに具備し、前記エンコードされたビットは、前記複数のビットを含む［１］記載の装置。
［９］前記処理システムは、前記複数の変調シンボルの論理トーンが、前記複数の変調シンボルを送信するために使用される物理トーンに関して順列されるように、前記複数の変調シンボルのそれぞれをマッピングするように構成されており、
前記処理システムは、前記マッピングを実行するための逆高速フーリエ変換（ＩＦＦＴ）モジュールを具備する［１］記載の装置。
［１０］ワイヤレス通信のための方法において、
複数のビットを複数の変調シンボルにマッピングすることと、
前記複数の変調シンボルのそれぞれを、トーンと空間ストリームとにマッピングすることと、
前記マッピングされた変調シンボルを送信することとを含み、
前記複数のビットは、複数のコードワードに関係付けられており、
前記トーンは、前記送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている前記サブセットの前記変調シンボルは、前記複数のトーン中の隣り合っていないトーンにマッピングされる方法。
［１１］前記サブセットの前記変調シンボルは、前記複数のトーンに大体均一にマッピングされる［１０］記載の方法。
［１２］前記複数の変調シンボルのそれぞれをマッピングすることは、
前記サブセット中の第１の変調シンボルを、第１のトーンと第１の空間ストリームとにマッピングすることと、
前記サブセットの第２の変調シンボルを、前記第１のトーンと第２の空間ストリームとにマッピングすることと、
前記サブセットの第３の変調シンボルを、第２のトーンと第３の空間ストリームとにマッピングすることとを含み、
前記第１のトーンと前記第２のトーンは隣り合っておらず、前記第２の変調シンボルに対応しているビットは、前記複数のコードワードのうちの１つ中の前記第１の変調シンボルに対応しているビットにすぐ後に続き、前記第３の変調シンボルに対応しているビットは、前記複数のコードワードのうちの１つ中の前記第２の変調シンボルに対応しているビットにすぐ後に続く［１０］記載の方法。
［１３］前記第２の空間ストリームは、前記第１の空間ストリームに隣り合っている［１２］記載の方法。
［１４］前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｉ or ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔である［１０］記載の方法。
［１５］前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である［１４］記載の方法。
［１６］前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる［１４］記載の方法。
［１７］低密度パリティチェック（ＬＤＰＣ）コードを使用してビットをエンコードすることをさらに含み、前記エンコードされたビットは、前記複数のビットを含む［１０］記載の方法。
［１８］前記複数の変調シンボルのそれぞれをマッピングすることは、前記複数の変調シンボルの論理トーンが、前記複数の変調シンボルを送信するために使用される物理トーンに関して順列されるように、前記複数の変調シンボルのそれぞれをマッピングすることを含み、
前記マッピングは、逆高速フーリエ変換（ＩＦＦＴ）モジュールによって実行される［１０］記載の方法。
［１９］ワイヤレス通信のための装置において、
複数のビットを複数の変調シンボルにマッピングする手段と、
前記複数の変調シンボルのそれぞれを、トーンと空間ストリームとにマッピングする手段と、
前記マッピングされた変調シンボルを送信する手段とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされる装置。
［２０］前記サブセットの前記変調シンボルは、前記複数のトーンに大体均一にマッピングされる［１９］記載の装置。
［２１］前記複数の変調シンボルのそれぞれをマッピングする手段は、
前記サブセット中の第１の変調シンボルを、第１のトーンと第１の空間ストリームとにマッピングし、
前記サブセットの第２の変調シンボルを、前記第１のトーンと第２の空間ストリームとにマッピングし、
前記サブセットの第３の変調シンボルを、第２のトーンと第３の空間ストリームとにマッピングするように構成されており、
前記第１のトーンと前記第２のトーンは隣り合っておらず、前記第２の変調シンボルに対応しているビットは、前記複数のコードワードのうちの１つ中の前記第１の変調シンボルに対応しているビットにすぐ後に続き、前記第３の変調シンボルに対応しているビットは、前記複数のコードワードのうちの１つ中の前記第２の変調シンボルに対応しているビットにすぐに続く［１９］記載の装置。
［２２］前記第２の空間ストリームは、前記第１の空間ストリームに隣り合っている［２１］記載の装置。
［２３］前記サブセットの前記変調シンボルは、前記複数のトーンを前記複数の空間ストリームに相関させる行列にマッピングされ、前記サブセット中のｉ番目の変調シンボルは、ｉ ｍｏｄ ＮSの空間ストリームインデックスを持つ空間ストリームに、および、ｉ or ｆｌｏｏｒ（ｉ／ＮS）×Ｄのトーンインデックスを持つトーンにマッピングされ、ここでＮSは、前記複数の空間ストリーム中の空間ストリームの数であり、Ｄは、トーンマッピング間隔である［１９］記載の装置。
［２４］前記トーンマッピング間隔Ｄは、ｆｌｏｏｒ（Ｎst／Ｎsc）、ｃｅｉｌ（Ｎst／Ｎsc）、またはＮstの複数の別個の値に対して一定である数のうちの１つを含み、ここでＮstは、送信シンボル中の前記変調シンボルの数であり、ここでＮscは、前記複数のコードワードのうちの１つ中の前記変調シンボルの数である［２３］記載の装置。
［２５］前記複数のコードワードのうちの１つに対応しており、前記サブセット中にない前記変調シンボルは、前記行列にマッピングされ、ｋ番目の変調シンボルは、ｋのトーンインデックスを持つトーンに、そして、ｍａｘ（ｉ）がＮSで除算可能でない場合にはｍａｘ（ｉ）ｍｏｄ ＮSの空間ストリームインデックスを持つ、または、ｍａｘ（ｉ）がＮSで除算可能である場合にはｍａｘ（ｉ）ｍｏｄ ＮS＋１の空間ストリームインデックスを持つ空間ストリームにマッピングされる［２３］記載の装置。
［２６］低密度パリティチェック（ＬＤＰＣ）コードを使用してビットをエンコードする手段をさらに具備し、前記エンコードされたビットは、前記複数のビットを含む［１９］記載の装置。
［２７］前記複数の変調シンボルのそれぞれをマッピングする手段は、前記複数の変調シンボルの論理トーンが、前記複数の変調シンボルを送信するために使用される物理トーンに関して順列されるように、前記複数の変調シンボルのそれぞれをマッピングするように構成されており、
前記複数の変調シンボルのそれぞれをマッピングする手段は、マッピングを実行するための逆高速フーリエ変換（ＩＦＦＴ）モジュールを備える［１９］記載の装置。
［２８］ワイヤレス通信のためのコンピュータプログラムプロダクトにおいて、
実行されるときに、装置に、
複数のビットを複数の変調シンボルにマッピングさせる命令と、
前記複数の変調シンボルのそれぞれを、トーンと空間ストリームとにマッピングさせる命令と、
前記マッピングされた変調シンボルを送信させる命令とを含む、コンピュータ読み取り可能媒体を具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされるコンピュータプログラムプロダクト。
［２９］ワイヤレスノードにおいて、
少なくとも１つのアンテナと、
複数のビットを複数の変調シンボルにマッピングし、
前記複数の変調シンボルのそれぞれを、トーンと空間ストリームとにマッピングするように構成されている処理システムと、
前記マッピングされた変調シンボルを、前記少なくとも１つのアンテナを通して送信するように構成されている送信機とを具備し、
前記複数のビットは、複数のコードワードに関係付けられており、
前記トーンは、送信に対して利用可能な複数のトーンのうちの１つであり、前記空間ストリームは、前記送信に対して利用可能な複数の空間ストリームのうちの１つであり、前記複数のコードワードのうちの１つに関係付けられている連続ビットに対応している前記複数の変調シンボルのサブセットは、前記複数の空間ストリームの間で大体均一にマッピングされ、同じ空間ストリームにマッピングされている、前記サブセットの前記変調シンボルは、前記複数のトーン中の隣り合っていないトーンにマッピングされるワイヤレスノード。
［３０］ワイヤレス通信のための装置において、
複数のトーンと複数の空間ストリームとを通して、複数のコードワードに関係付けられているビットに対応している複数の変調シンボルを受信するように構成されている受信機と、
前記受信した変調シンボルのサブセットを、前記複数のコードワードのうちの１つのオリジナルの順序になるように配置するように構成されているデインターリーバとを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散される装置。
［３１］前記デインターリーバは、前記複数の変調シンボルが受け取られる物理トーンを順列して、前記複数の変調シンボルを複数の論理トーンになるように配置するように構成されている［３０］記載の装置。
［３２］前記デインターリーバは、前記順列を実行するように構成されている高速フーリエ変換（ＦＦＴ）モジュールを備える［３１］記載の装置。
［３３］ワイヤレス通信のための方法において、
複数のトーンと複数の空間ストリームとを通して、複数のコードワードに関係付けられているビットに対応している複数の変調シンボルを受信することと、
前記受信した変調シンボルのサブセットを、前記複数のコードワードのうちの１つに対応しているオリジナルの順序になるように配置することとを含み、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散される方法。
［３４］前記配置することは、前記複数の変調シンボルが受け取られる物理トーンを順列して、前記複数の変調シンボルを複数の論理トーンになるように配置することを含む［３３］記載の方法。
［３５］前記順列は、高速フーリエ変換（ＦＦＴ）モジュールによって実行される［３４］記載の方法。
［３６］ワイヤレス通信のための装置において、
複数のトーンと複数の空間ストリームとを通して、複数のコードワードに関係付けられているビットに対応している複数の変調シンボルを受信する手段と、
前記受信した変調シンボルのサブセットを、前記複数のコードワードのうちの１つに対応しているオリジナルの順序になるように配置する手段とを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散される装置。
［３７］前記配置する手段は、前記複数の変調シンボルが受け取られる物理トーンを順列して、前記複数の変調シンボルを複数の論理トーンになるように配置するように構成されている［３６］記載の装置。
［３８］前記配置する手段は、前記順列を実行するように構成されている高速フーリエ変換（ＦＦＴ）モジュールを含む［３７］記載の装置。
［３９］ワイヤレス通信のためのコンピュータプログラムプロダクトにおいて、
実行されるときに、装置に
複数のトーンと複数の空間ストリームとを通して、複数のコードワードに関係付けられているビットに対応している複数の変調シンボルを受信させる命令と、
前記受信した変調シンボルのサブセットを、前記複数のコードワードのうちの１つに対応しているオリジナルの順序になるように配置させる命令とを含む、コンピュータ読み取り可能な媒体を具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散されるコンピュータプログラムプロダクト。
［４０］ワイヤレスノードにおいて、
少なくとも１つのアンテナと、
複数のトーンと複数の空間ストリームとを通して、複数のコードワードに関係付けられているビットに対応している複数の変調シンボルを、前記少なくとも１つのアンテナを通して受信するように構成されている受信機と、
前記受信した変調シンボルのサブセットを、前記複数のコードワードのうちの１つに対応しているオリジナルの順序になるように配置するように構成されているデインターリーバとを具備し、
前記複数のコードワードのうちの１つに関係付けられている連続ビットに対応している前記複数の変調シンボルのサブセットは、前記複数の空間ストリームを通して大体均一に分散され、同じ空間ストリーム中で受信される、前記サブセットの前記変調シンボルは、前記複数のトーン中の隣り合っていないトーンを通して分散されるワイヤレスノード。
【国際調査報告】
2013543326.tif 000027
2013543326.tif 000028
2013543326.tif 000029